(57)【特許請求の範囲】
【請求項１】
ワイヤレス通信のための方法であって、
第１のセルから、ユーザ機器（ＵＥ）パイロット情報を受信することと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
第２のセルが、前記ＵＥパイロット情報に含まれる情報を使用して、前記第１のＵＥグループの前記１つまたは複数のＵＥによるパイロット信号送信をモニタすることと、
前記モニタされたパイロット信号送信に少なくとも部分的に基づいて、前記第２のセルに対して高アップリンク干渉をもたらす能力を有する、前記第１のＵＥグループの前記１つまたは複数のＵＥのうちの少なくとも１つのＵＥを決定することと、
前記第１のセルから、前記第２のセルに対して高アップリンク干渉をもたらす能力を有する前記少なくとも１つのＵＥに関するアップリンク事前スケジューリング情報を受信することと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることと
を備える方法。
【請求項２】
前記第１のＵＥグループの前記１つまたは複数のＵＥによって前記モニタされたパイロット信号送信を使用して、前記第２のセルのアップリンクトラフィックリソース上の干渉を推定することをさらに備え、アップリンク通信のために前記第２のＵＥグループの１つまたは複数のＵＥを前記スケジュールすることは、前記推定アップリンクトラフィックリソース干渉に少なくとも部分的に基づく、
請求項１に記載の方法。
【請求項３】
前記第２のセルにおけるアップリンクトラフィックリソース干渉を前記推定することは、
前記モニタされたパイロット信号送信から推定される前記アップリンクトラフィックリソース上の干渉に基づいて、前記第１のＵＥグループの前記１つまたは複数のＵＥの各ＵＥからのデータ送信に起因する干渉を推定することを備える、
請求項２に記載の方法。
【請求項４】
前記第２のセルにおけるアップリンクトラフィックリソース干渉を前記推定することは、
データ送信に起因する前記干渉を推定するために、前記モニタされたパイロット信号送信の送信電力レベルと前記少なくとも１つのＵＥによる前記アップリンクトラフィックリソースにおけるデータ送信の送信電力レベルとの間の電力オフセットを使用することをさらに備える、
請求項３に記載の方法。
【請求項５】
前記第１のセルから、前記第１のＵＥグループの前記１つまたは複数のＵＥに関する送信電力レベル情報を受信することと、
前記送信電力レベル情報を使用して前記電力オフセットを決定することと
をさらに備える、請求項４に記載の方法。
【請求項６】
前記第２のセルとのアップリンク通信のために前記第２のＵＥグループの１つまたは複数のＵＥを前記スケジュールすることは、
前記第２のセルに対して高干渉をもたらすと推定される前記少なくとも１つのＵＥのうちのＵＥが前記高干渉をもたらすと予想されるリソースにおけるアップリンク通信のために、前記第２のＵＥグループの特定のＵＥを選択することを備え、前記第２のＵＥグループの前記特定のＵＥは、前記推定干渉に少なくとも部分的に基づいて選択される、
請求項２に記載の方法。
【請求項７】
前記第２のセルとのアップリンク通信のために前記第２のＵＥグループの１つまたは複数のＵＥを前記スケジュールすることは、
前記第２のセルと前記第２のＵＥグループの特定のＵＥとの間のアップリンクに関して変調およびコーディングスキームを選択することを備え、前記変調およびコーディングスキームは、前記推定干渉に少なくとも部分的に基づいて選択される、
請求項２に記載の方法。
【請求項８】
前記第２のセルとのアップリンク通信のために前記第２のＵＥグループの１つまたは複数のＵＥを前記スケジュールすることは、
前記第２のセルに対して高干渉をもたらすと推定される前記少なくとも１つのＵＥのうちのＵＥが前記高干渉をもたらすと予想されるリソースにおけるアップリンク通信のために、前記第２のＵＥグループの少なくとも１つのＵＥをスケジュールすることを回避することを備える、
請求項２に記載の方法。
【請求項９】
前記アップリンク事前スケジューリング情報は、前記第１のＵＥグループの前記１つまたは複数のＵＥの各ＵＥの識別情報を備え、前記識別情報は前記第２のセルによって、前記第２のセルに対して高干渉をもたらすと推定される前記少なくとも１つのＵＥを識別するために使用される、
請求項１に記載の方法。
【請求項１０】
前記アップリンク事前スケジューリング情報は、前記第２のセルに対して高干渉をもたらすと推定される前記少なくとも１つのＵＥの送信電力に関係する情報を備える、
請求項１に記載の方法。
【請求項１１】
前記第２のセルに対して高干渉をもたらすと推定される前記少なくとも１つのＵＥによる再送要求送信のためにアップリンクトラフィックリソースを予約することをさらに備え、前記予約済みアップリンクトラフィックリソースは前記第２のセルによって、前記第２のＵＥグループのＵＥに使用されることはない、
請求項１に記載の方法。
【請求項１２】
再送信のために前記第２のセルに対して高干渉をもたらすと推定される前記少なくとも１つのＵＥを事前スケジュールするために、拡張再送要求送信タイムラインを実装することをさらに備える、
請求項１に記載の方法。
【請求項１３】
ワイヤレス通信用に構成された装置であって、
第１のセルから、ユーザ機器（ＵＥ）パイロット情報を受信するための手段と、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
第２のセルが、前記ＵＥパイロット情報に含まれる情報を使用して、前記第１のＵＥグループの前記１つまたは複数のＵＥによるパイロット信号送信をモニタするための手段と、
前記モニタされたパイロット信号送信に少なくとも部分的に基づいて、前記第２のセルに対して高アップリンク干渉をもたらす能力を有する、前記第１のＵＥグループの前記１つまたは複数のＵＥのうちの少なくとも１つのＵＥを決定するための手段と、
前記第１のセルから、前記第２のセルに対して高アップリンク干渉をもたらす能力を有する前記少なくとも１つのＵＥに関するアップリンク事前スケジューリング情報を受信するための手段と、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールするための手段と
を備える装置。
【請求項１４】
ワイヤレスネットワークにおけるワイヤレス通信のためのコンピュータプログラムであって、
プログラムコードを備え、前記プログラムコードは、
第１のセルから、ユーザ機器（ＵＥ）パイロット情報を受信するためのプログラムコードと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
第２のセルが、前記ＵＥパイロット情報に含まれる情報を使用して、前記第１のＵＥグループの前記１つまたは複数のＵＥによるパイロット信号送信をモニタするためのプログラムコードと、
前記モニタされたパイロット信号送信に少なくとも部分的に基づいて、前記第２のセルに対して高アップリンク干渉をもたらす能力を有する、前記第１のＵＥグループの前記１つまたは複数のＵＥのうちの少なくとも１つのＵＥを決定するためのプログラムコードと、
前記第１のセルから、前記第２のセルに対して高アップリンク干渉をもたらす能力を有する前記少なくとも１つのＵＥに関するアップリンク事前スケジューリング情報を受信するためのプログラムコードと、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールするためのプログラムコードと
を備える、コンピュータプログラム。
【請求項１５】
ワイヤレス通信用に構成された装置であって、
少なくとも１つのプロセッサと、
前記少なくとも１つのプロセッサに結合されたメモリと
を備え、前記少なくとも１つのプロセッサは、
第１のセルから、ユーザ機器（ＵＥ）パイロット情報を受信することと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
第２のセルが、前記ＵＥパイロット情報に含まれる情報を使用して、前記第１のＵＥグループの前記１つまたは複数のＵＥによるパイロット信号送信をモニタすることと、
前記モニタされたパイロット信号送信に少なくとも部分的に基づいて、前記第２のセルに対して高アップリンク干渉をもたらす能力を有する、前記第１のＵＥグループの前記１つまたは複数のＵＥのうちの少なくとも１つのＵＥを決定することと、
前記第１のセルから、前記第２のセルに対して高アップリンク干渉をもたらす能力を有する前記少なくとも１つのＵＥに関するアップリンク事前スケジューリング情報を受信することと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることと
を行うように構成される、
装置。
【請求項１６】
前記少なくとも１つのプロセッサは、
前記第１のＵＥグループの前記１つまたは複数のＵＥによる前記モニタされたパイロット信号送信を使用して、前記第２のセルのアップリンクトラフィックリソース上の干渉を推定することを行うようにさらに構成され、前記第２のＵＥグループの前記１つまたは複数のＵＥは、前記推定アップリンクトラフィックリソース干渉に少なくとも部分的に基づいて、アップリンク通信のためにスケジュールされる、
請求項１５に記載の装置。
【請求項１７】
前記少なくとも１つのプロセッサは、
前記モニタされたパイロット信号送信から推定される前記アップリンクトラフィックリソース上の干渉に基づいて、前記第１のＵＥグループの前記１つまたは複数のＵＥの各ＵＥからのデータ送信に起因する干渉を推定すること
を行うように構成されることによって、アップリンクトラフィックリソース上の干渉を推定することを行うように構成される、
請求項１６に記載の装置。
【請求項１８】
前記少なくとも１つのプロセッサは、
データ送信に起因する前記干渉を推定するために、前記モニタされたパイロット信号送信の送信電力レベルと前記少なくとも１つのＵＥによる前記アップリンクトラフィックリソースにおけるデータ送信の送信電力レベルとの間の電力オフセットを使用すること
を行うように構成されることによって、アップリンクトラフィックリソース上の干渉を推定することを行うようにさらに構成される、
請求項１７に記載の装置。
【請求項１９】
前記少なくとも１つのプロセッサは、
前記第１のセルが、前記第１のＵＥグループの前記１つまたは複数のＵＥに関する送信電力レベル情報を受信することと、
前記送信電力レベル情報を使用して前記電力オフセットを決定することと
を行うようにさらに構成される、請求項１８に記載の装置。
【請求項２０】
前記少なくとも１つのプロセッサは、
前記第２のセルに対して高干渉をもたらすと推定される前記少なくとも１つのＵＥのうちのＵＥが前記高干渉をもたらすと予想されるリソースにおけるアップリンク通信のために、前記第２のＵＥグループの特定のＵＥを選択することと、ここで、前記第２のＵＥグループの前記特定のＵＥは、前記推定干渉に少なくとも部分的に基づいて選択される、
を行うように構成されることによって、前記第２のセルとのアップリンク通信のために前記第２のＵＥグループの１つまたは複数のＵＥをスケジュールすることを行うように構成される、
請求項１６に記載の装置。
【請求項２１】
前記少なくとも１つのプロセッサは、
前記第２のセルと前記第２のＵＥグループの特定のＵＥとの間のアップリンクに関して変調およびコーディングスキームを選択すること
を行うように構成されることによって、前記第２のセルとのアップリンク通信のために前記第２のＵＥグループの１つまたは複数のＵＥをスケジュールすることを行うように構成され、
前記変調およびコーディングスキームは、前記推定干渉に少なくとも部分的に基づいて選択される、
請求項１６に記載の装置。
【請求項２２】
前記少なくとも１つのプロセッサは、
前記第２のセルに対して高干渉をもたらすと推定される前記少なくとも１つのＵＥのうちのＵＥが前記高干渉をもたらすと予想されるリソースにおけるアップリンク通信のために、前記第２のＵＥグループの少なくとも１つのＵＥをスケジュールすることを回避すること
を行うように構成されることによって、前記第２のセルとのアップリンク通信のために前記第２のＵＥグループの１つまたは複数のＵＥをスケジュールすることを行うように構成される、
請求項１６に記載の装置。
【請求項２３】
前記アップリンク事前スケジューリング情報は、前記第１のＵＥグループの前記１つまたは複数のＵＥの各ＵＥの識別情報を備え、前記識別情報は前記第２のセルによって、前記第２のセルに対して高干渉をもたらすと推定される前記少なくとも１つのＵＥを識別するために使用される、
請求項１５に記載の装置。
【請求項２４】
前記アップリンク事前スケジューリング情報は、前記第２のセルに対して高干渉をもたらすと推定される前記少なくとも１つのＵＥの送信電力に関係する情報を備える、
請求項１５に記載の装置。
【請求項２５】
前記少なくとも１つのプロセッサは、
前記第２のセルに対して高干渉をもたらすと推定される前記少なくとも１つのＵＥによる再送要求送信のためにアップリンクトラフィックリソースを予約することを行うようにさらに構成され、前記予約済みアップリンクトラフィックリソースは前記第２のセルによって、前記第２のＵＥグループのＵＥに使用されることはない、
請求項１５に記載の装置。
【請求項２６】
前記少なくとも１つのプロセッサは、
再送信のために前記第２のセルに対して高干渉をもたらすと推定される前記少なくとも１つのＵＥを事前スケジュールするために、拡張再送要求送信タイムラインを実装することを行うようにさらに構成される、
請求項１５に記載の装置。
【請求項２７】
ワイヤレス通信のための方法であって、
バックホール通信リンクを使用して第２のセルに対して第１のセルが、ユーザ機器（ＵＥ）パイロット情報を送信することと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
前記第２のセルに対して高アップリンク干渉をもたらす能力を有する、前記第１のＵＥグループの前記１つまたは複数のＵＥのうちの少なくとも１つのＵＥを決定することと、
前記第１のセルが、前記第１のセルとのアップリンク通信のために第１のＵＥグループのＵＥをスケジュールすることと、
前記第１のセルから前記バックホール通信リンクを使用して前記第２のセルに対し、高アップリンク干渉をもたらす能力を有する前記少なくとも１つのＵＥの前記スケジューリングに関する情報をアップリンク事前スケジューリング情報として送信することと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることに対応するために、前記アップリンク事前スケジューリング情報を送信した後の期間に前記第１のＵＥグループの前記ＵＥに前記アップリンクトラフィックリソース割当てを許可することと
を備える方法。
【請求項２８】
前記第１のセルから前記バックホール通信リンクを使用して前記第２のセルに対し、前記第１のＵＥグループの前記１つまたは複数のＵＥのパイロット信号送信およびアップリンクデータ送信に関する送信電力レベルオフセット情報を送信することをさらに備える、
請求項２７に記載の方法。
【請求項２９】
前記アップリンク事前スケジューリング情報は、前記第２のセルに対して高干渉をもたらすと推定される前記少なくとも１つのＵＥの送信電力に関係する情報を備える、
請求項２７に記載の方法。
【請求項３０】
前記第２のセルに対して高干渉をもたらすと推定される前記少なくとも１つのＵＥによる再送要求送信のためにアップリンクトラフィックリソースを予約することをさらに備え、前記予約済みアップリンクトラフィックリソースは前記第２のセルによって、前記第２のＵＥグループのＵＥに使用されることはない、
請求項２７に記載の方法。
【請求項３１】
再送信のために前記第２のセルに対して高干渉をもたらすと推定される前記少なくとも１つのＵＥを事前スケジュールするために、拡張再送要求送信タイムラインを実装することをさらに備える、
請求項２７に記載の方法。
【請求項３２】
ワイヤレス通信用に構成された装置であって、
バックホール通信リンクを使用して第２のセルに対して第１のセルが、ユーザ機器（ＵＥ）パイロット情報を送信するための手段と、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
前記第２のセルに対して高アップリンク干渉をもたらす能力を有する、前記第１のＵＥグループの前記１つまたは複数のＵＥのうちの少なくとも１つのＵＥを決定するための手段と、
前記第１のセルが、前記第１のセルとのアップリンク通信のために第１のＵＥグループのＵＥをスケジュールするための手段と、
前記第１のセルから前記バックホール通信リンクを使用して前記第２のセルに対し、高アップリンク干渉をもたらす能力を有する前記少なくとも１つのＵＥの前記スケジューリングに関する情報をアップリンク事前スケジューリング情報として送信するための手段と、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることに対応するために、前記アップリンク事前スケジューリング情報を送信した後の期間に前記第１のＵＥグループの前記ＵＥに前記アップリンクトラフィックリソース割当てを許可するための手段と
を備える装置。
【請求項３３】
ワイヤレスネットワークにおけるワイヤレス通信のためのコンピュータプログラムであって、
プログラムコードを備え、前記プログラムコードは、
バックホール通信リンクを使用して第２のセルに対して第１のセルが、ユーザ機器（ＵＥ）パイロット情報を送信するためのプログラムコードと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
前記第２のセルに対して高アップリンク干渉をもたらす能力を有する、前記第１のＵＥグループの前記１つまたは複数のＵＥのうちの少なくとも１つのＵＥを決定するためのプログラムコードと、
前記第１のセルが、前記第１のセルとのアップリンク通信のために第１のＵＥグループのＵＥをスケジュールするためのプログラムコードと、
前記第１のセルから前記バックホール通信リンクを使用して前記第２のセルに対し、高アップリンク干渉をもたらす能力を有する前記少なくとも１つのＵＥの前記スケジューリングに関する情報をアップリンク事前スケジューリング情報として送信するためのプログラムコードと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることに対応するために、前記アップリンク事前スケジューリング情報を送信した後の期間に前記第１のＵＥグループの前記ＵＥに前記アップリンクトラフィックリソース割当てを許可するためのプログラムコードと
を備える、コンピュータプログラム。
【請求項３４】
ワイヤレス通信用に構成された装置であって、
少なくとも１つのプロセッサと、
前記少なくとも１つのプロセッサに結合されたメモリと
を備え、前記少なくとも１つのプロセッサは、
バックホール通信リンクを使用して第２のセルに対して第１のセルが、ユーザ機器（ＵＥ）パイロット情報を送信することと、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
前記第２のセルに対して高アップリンク干渉をもたらす能力を有する、前記第１のＵＥグループの前記１つまたは複数のＵＥのうちの少なくとも１つのＵＥを決定することと、
前記第１のセルによって、前記第１のセルとのアップリンク通信のために第１のＵＥグループのＵＥをスケジュールすることと、
前記第１のセルから前記バックホール通信リンクを使用して前記第２のセルに対し、高アップリンク干渉をもたらす能力を有する前記少なくとも１つのＵＥの前記スケジューリングに関する情報をアップリンク事前スケジューリング情報として送信することと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることに対応するために、前記アップリンク事前スケジューリング情報を送信した後の期間に前記第１のＵＥグループの前記ＵＥに前記アップリンクトラフィックリソース割当てを許可することと
を行うように構成される、
装置。
【請求項３５】
前記少なくとも１つのプロセッサは、
前記第１のセルから前記バックホール通信リンクを使用して前記第２のセルに対し、前記第１のＵＥグループの前記１つまたは複数のＵＥのパイロット信号送信およびアップリンクデータ送信に関する送信電力レベルオフセット情報を送信することを行うようにさらに構成される、
請求項３４に記載の装置。
【請求項３６】
前記アップリンク事前スケジューリング情報は、前記第２のセルに対して高干渉をもたらすと推定される前記少なくとも１つのＵＥの送信電力に関係する情報を備える、
請求項３４に記載の装置。
【請求項３７】
前記少なくとも１つのプロセッサは、
前記第２のセルに対して高干渉をもたらすと推定される前記少なくとも１つのＵＥによる再送要求送信のためにアップリンクトラフィックリソースを予約することを行うようにさらに構成され、前記予約済みアップリンクトラフィックリソースは、前記第２のセルによって、前記第２のＵＥグループのＵＥに使用されることはない、
請求項３４に記載の装置。
【請求項３８】
前記少なくとも１つのプロセッサは、
再送信のために前記第２のセルに対して高干渉をもたらすと推定される前記少なくとも１つのＵＥを事前スケジュールするために、拡張再送要求送信タイムラインを実装することを行うようにさらに構成される、
請求項３４に記載の装置。
【発明の詳細な説明】
【関連出願】
【０００１】
本出願は、その開示が参照により本明細書に組み込まれる、２０１１年１１月１４日に出願した「Ｕｐｌｉｎｋ  Ｄａｔａ  Ｔｒａｎｓｍｉｓｓｉｏｎ  ｗｉｔｈ  Ｉｎｔｅｒｆｅｒｅｎｃｅ  Ｍｉｔｉｇａｔｉｏｎ」と題する米国仮特許出願第６１／５５９，５７９号に対する優先権の利益を主張する。
【技術分野】
【０００２】
本開示は、一般に通信に関し、より詳細には、ワイヤレス通信ネットワークにおけるデータ送信をサポートするための技法に関する。
【背景技術】
【０００３】
ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）のための通信をサポートすることができるいくつかの基地局を含むことができる。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
ＵＥはサービング基地局に対し、アップリンク上でデータ送信を送ることができる。ＵＥからのデータ送信は、他のＵＥによって近隣基地局に送られたデータ送信に対して干渉をもたらすことがある。相応して、ＵＥからのデータ送信も、他のＵＥによって送られたデータ送信からの干渉を観測することがある。干渉は、影響されるすべてのＵＥのパフォーマンスを低下させる可能性がある。
【発明の概要】
【０００６】
本開示の一態様では、ワイヤレス通信のための方法が、第１のセルから、ユーザ機器（ＵＥ）パイロット情報を受信することと、ここで、ＵＥパイロット情報は、第１のＵＥグループの１つまたは複数のＵＥによるパイロット信号送信に関する情報を含み、第１のＵＥグループの１つまたは複数のＵＥは、第１のセルと通信状態にある。本方法はまた、第２のセルによって、ＵＥパイロット情報に含まれる情報を使用して、第１のＵＥグループの１つまたは複数のＵＥによるパイロット信号送信をモニタすることを備える。本方法はさらに、モニタされたパイロット信号送信に少なくとも部分的に基づいて、第２のセルに対して高アップリンク干渉をもたらす能力を有する、第１のＵＥグループの１つまたは複数のＵＥのうちの少なくとも１つのＵＥを特定することを備える。本方法はまた、第１のセルから、第２のセルに対して高アップリンク干渉をもたらす能力を有する少なくとも１つのＵＥに関するアップリンク事前スケジューリング情報を受信することを備え、アップリンク事前スケジューリング情報は、第２のセルに対して高アップリンク干渉をもたらす能力を有する少なくとも１つのＵＥに実際のアップリンクトラフィックリソース割当て許可が付与される前の、第２のセルに対して高アップリンク干渉をもたらす能力を有する少なくとも１つのＵＥへのアップリンクトラフィックリソース割当てに関する情報を備える。本方法はさらに、第２のセルによって、受信されたアップリンク事前スケジューリング情報に少なくとも部分的に基づいて、第２のセルとのアップリンク通信のために第２のＵＥグループの１つまたは複数のＵＥをスケジュールすることを備える。
【０００７】
本開示の追加の態様では、ワイヤレス通信用に構成された装置が、第１のセルから、ユーザ機器（ＵＥ）パイロット情報を受信するための手段と、ここで、ＵＥパイロット情報は、第１のＵＥグループの１つまたは複数のＵＥによるパイロット信号送信に関する情報を含み、第１のＵＥグループの１つまたは複数のＵＥは、第１のセルと通信状態にある。本装置はまた、第２のセルによって、ＵＥパイロット情報に含まれる情報を使用して、第１のＵＥグループの１つまたは複数のＵＥによるパイロット信号送信をモニタするための手段を備える。本方法はさらに、モニタされたパイロット信号送信に少なくとも部分的に基づいて、第２のセルに対して高アップリンク干渉をもたらす能力を有する、第１のＵＥグループの１つまたは複数のＵＥのうちの少なくとも１つのＵＥを特定するための手段を備える。本方法はまた、第１のセルから、第２のセルに対して高アップリンク干渉をもたらす能力を有する少なくとも１つのＵＥに関するアップリンク事前スケジューリング情報を受信するための手段を備え、アップリンク事前スケジューリング情報は、第２のセルに対して高アップリンク干渉をもたらす能力を有する少なくとも１つのＵＥに実際のアップリンクトラフィックリソース割当て許可が付与される前の、第２のセルに対して高アップリンク干渉をもたらす能力を有する少なくとも１つのＵＥへのアップリンクトラフィックリソース割当てに関する情報を備える。本方法はさらに、第２のセルによって、受信されたアップリンク事前スケジューリング情報に少なくとも部分的に基づいて、第２のセルとのアップリンク通信のために第２のＵＥグループの１つまたは複数のＵＥをスケジュールするための手段を備える。
【０００８】
本開示の追加の態様では、ワイヤレスネットワークにおけるワイヤレス通信のためのコンピュータプログラム製品が、プログラムコードを記録した非一時的コンピュータ可読媒体を備える。本プログラムコードは、第１のセルから、ユーザ機器（ＵＥ）パイロット情報を受信するためのプログラムコードと、ここで、ＵＥパイロット情報は、第１のＵＥグループの１つまたは複数のＵＥによるパイロット信号送信に関する情報を含み、第１のＵＥグループの１つまたは複数のＵＥは、第１のセルと通信状態にある。本プログラムコードはまた、第２のセルによって、ＵＥパイロット情報に含まれる情報を使用して、第１のＵＥグループの１つまたは複数のＵＥによるパイロット信号送信をモニタするためのプログラムコードを含む。本プログラムコードはさらに、モニタされたパイロット信号送信に少なくとも部分的に基づいて、第２のセルに対して高アップリンク干渉をもたらす能力を有する、第１のＵＥグループの１つまたは複数のＵＥのうちの少なくとも１つのＵＥを特定するためのプログラムコードを含む。本プログラムコードはさらに、第１のセルから、第２のセルに対して高アップリンク干渉をもたらす能力を有する少なくとも１つのＵＥに関するアップリンク事前スケジューリング情報を受信するためのプログラムコードを含み、アップリンク事前スケジューリング情報は、第２のセルに対して高アップリンク干渉をもたらす能力を有する少なくとも１つのＵＥに実際のアップリンクトラフィックリソース割当て許可が付与される前の、第２のセルに対して高アップリンク干渉をもたらす能力を有する少なくとも１つのＵＥへのアップリンクトラフィックリソース割当てに関する情報を備える。本プログラムコードはまた、第２のセルによって、受信されたアップリンク事前スケジューリング情報に少なくとも部分的に基づいて、第２のセルとのアップリンク通信のために第２のＵＥグループの１つまたは複数のＵＥをスケジュールするためのプログラムコードを含む。
【０００９】
本開示の追加の態様では、ワイヤレス通信用に構成された装置が、少なくとも１つのプロセッサと、少なくとも１つのプロセッサに結合されたメモリとを備える。少なくとも１つのプロセッサは、第１のセルから、ユーザ機器（ＵＥ）パイロット情報を受信することを行うように構成され、ＵＥパイロット情報は、第１のＵＥグループの１つまたは複数のＵＥによるパイロット信号送信に関する情報を含み、第１のＵＥグループの１つまたは複数のＵＥは、第１のセルと通信状態にある。少なくとも１つのプロセッサはまた、第２のセルによって、ＵＥパイロット情報に含まれる情報を使用して、第１のＵＥグループの１つまたは複数のＵＥによるパイロット信号送信をモニタすることを行うように構成される。少なくとも１つのプロセッサはさらに、モニタされたパイロット信号送信に少なくとも部分的に基づいて、第２のセルに対して高アップリンク干渉をもたらす能力を有する、第１のＵＥグループの１つまたは複数のＵＥのうちの少なくとも１つのＵＥを決定することを行うように構成される。少なくとも１つのプロセッサはさらに、第１のセルから、第２のセルに対して高アップリンク干渉をもたらす能力を有する少なくとも１つのＵＥに関するアップリンク事前スケジューリング情報を受信することを行うように構成され、アップリンク事前スケジューリング情報は、第２のセルに対して高アップリンク干渉をもたらす能力を有する少なくとも１つのＵＥに実際のアップリンクトラフィックリソース割当て許可が付与される前の、第２のセルに対して高アップリンク干渉をもたらす能力を有する少なくとも１つのＵＥへのアップリンクトラフィックリソース割当てに関する情報を備える。少なくとも１つのプロセッサはまた、第２のセルによって、受信されたアップリンク事前スケジューリング情報に少なくとも部分的に基づいて、第２のセルとのアップリンク通信のために第２のＵＥグループの１つまたは複数のＵＥをスケジュールすることを行うように構成される。
【００１０】
本開示の一態様では、ワイヤレス通信のための方法が、第１のセルによって第２のセルに対し、ユーザ機器（ＵＥ）パイロット情報を送信することを備え、ＵＥパイロット情報は、第１のＵＥグループの１つまたは複数のＵＥによるパイロット信号送信に関する情報を含み、第１のＵＥグループの１つまたは複数のＵＥは、第１のセルと通信状態にある。本方法はまた、第２のセルに対して高アップリンク干渉をもたらす能力を有する、第１のＵＥグループの１つまたは複数のＵＥのうちの少なくとも１つのＵＥを決定することを備える。本方法はさらに、第１のセルによって、第１のセルとのアップリンク通信のために第１のＵＥグループのＵＥをスケジュールすることを備える。本方法はまた、第１のセルから第２のセルに対し、高アップリンク干渉をもたらす能力を有する少なくとも１つのＵＥのスケジューリングに関する情報をアップリンク事前スケジューリング情報として送信することを備え、アップリンク事前スケジューリング情報は、第２のセルに対して高アップリンク干渉をもたらす能力を有する少なくとも１つのＵＥに実際のアップリンクトラフィックリソース割当て許可が付与される前の、第２のセルに対して高アップリンク干渉をもたらす能力を有する少なくとも１つのＵＥへのアップリンクトラフィックリソース割当てに関する情報を備える。本方法はさらに、第２のセルによって、受信されたアップリンク事前スケジューリング情報に少なくとも部分的に基づいて、第２のセルとのアップリンク通信のために第２のＵＥグループの１つまたは複数のＵＥをスケジュールすることに対応するために、アップリンク事前スケジューリング情報を送信した後の期間に第１のＵＥグループのＵＥにアップリンクトラフィックリソース割当てを許可することを備える。
【００１１】
本開示の追加の態様では、ワイヤレス通信用に構成された装置が、第１のセルによって第２のセルに対し、ユーザ機器（ＵＥ）パイロット情報を送信するための手段を備え、ＵＥパイロット情報は、第１のＵＥグループの１つまたは複数のＵＥによるパイロット信号送信に関する情報を含み、第１のＵＥグループの１つまたは複数のＵＥは、第１のセルと通信状態にある。本装置はまた、第２のセルに対して高アップリンク干渉をもたらす能力を有する、第１のＵＥグループの１つまたは複数のＵＥのうちの少なくとも１つのＵＥを決定するための手段を備える。本装置はさらに、第１のセルによって、第１のセルとのアップリンク通信のために第１のＵＥグループのＵＥをスケジュールするための手段を備える。本装置はさらに、第１のセルから第２のセルに対し、高アップリンク干渉をもたらす能力を有する少なくとも１つのＵＥのスケジューリングに関する情報をアップリンク事前スケジューリング情報として送信するための手段を備え、アップリンク事前スケジューリング情報は、第２のセルに対して高アップリンク干渉をもたらす能力を有する少なくとも１つのＵＥに実際のアップリンクトラフィックリソース割当て許可が付与される前の、第２のセルに対して高アップリンク干渉をもたらす能力を有する少なくとも１つのＵＥへのアップリンクトラフィックリソース割当てに関する情報を備える。本方法はまた、第２のセルによって、受信されたアップリンク事前スケジューリング情報に少なくとも部分的に基づいて、第２のセルとのアップリンク通信のために第２のＵＥグループの１つまたは複数のＵＥをスケジュールすることに対応するために、アップリンク事前スケジューリング情報を送信した後の期間に第１のＵＥグループのＵＥにアップリンクトラフィックリソース割当てを許可するための手段を備える。
【００１２】
本開示の追加の態様では、ワイヤレスネットワークにおけるワイヤレス通信のためのコンピュータプログラム製品が、プログラムコードを記録した非一時的コンピュータ可読媒体を備える。本プログラムコードは、第１のセルによって第２のセルに対し、ユーザ機器（ＵＥ）パイロット情報を送信するためのプログラムコードを含み、ＵＥパイロット情報は、第１のＵＥグループの１つまたは複数のＵＥによるパイロット信号送信に関する情報を含み、第１のＵＥグループの１つまたは複数のＵＥは、第１のセルと通信状態にある。本プログラムコードはまた、第２のセルに対して高アップリンク干渉をもたらす能力を有する、第１のＵＥグループの１つまたは複数のＵＥのうちの少なくとも１つのＵＥを決定するためのプログラムコードを含む。本プログラムコードはさらに、第１のセルによって、第１のセルとのアップリンク通信のために第１のＵＥグループのＵＥをスケジュールするためのプログラムコードを含む。本プログラムコードはさらに、第１のセルから第２のセルに対し、高アップリンク干渉をもたらす能力を有する少なくとも１つのＵＥのスケジューリングに関する情報をアップリンク事前スケジューリング情報として送信するためのプログラムコードを含み、アップリンク事前スケジューリング情報は、第２のセルに対して高アップリンク干渉をもたらす能力を有する少なくとも１つのＵＥに実際のアップリンクトラフィックリソース割当て許可が付与される前の、第２のセルに対して高アップリンク干渉をもたらす能力を有する少なくとも１つのＵＥへのアップリンクトラフィックリソース割当てに関する情報を備える。本プログラムコードはまた、第２のセルによって、受信されたアップリンク事前スケジューリング情報に少なくとも部分的に基づいて、第２のセルとのアップリンク通信のために第２のＵＥグループの１つまたは複数のＵＥをスケジュールすることに対応するために、アップリンク事前スケジューリング情報を送信した後の期間に第１のＵＥグループのＵＥにアップリンクトラフィックリソース割当てを許可するためのプログラムコードを含む。
【００１３】
本開示の追加の態様では、ワイヤレス通信用に構成された装置が、少なくとも１つのプロセッサと、少なくとも１つのプロセッサに結合されたメモリとを備える。少なくとも１つのプロセッサは、第１のセルによって第２のセルに対し、ユーザ機器（ＵＥ）パイロット情報を送信することを行うように構成され、ＵＥパイロット情報は、第１のＵＥグループの１つまたは複数のＵＥによるパイロット信号送信に関する情報を含み、第１のＵＥグループの１つまたは複数のＵＥは、第１のセルと通信状態にある。少なくとも１つのプロセッサはまた、第２のセルに対して高アップリンク干渉をもたらす能力を有する、第１のＵＥグループの１つまたは複数のＵＥのうちの少なくとも１つのＵＥを決定することを行うように構成される。少なくとも１つのプロセッサはさらに、第１のセルによって、第１のセルとのアップリンク通信のために第１のＵＥグループのＵＥをスケジュールすることを行うように構成される。少なくとも１つのプロセッサはさらに、第１のセルから第２のセルに対し、高アップリンク干渉をもたらす能力を有する少なくとも１つのＵＥのスケジューリングに関する情報をアップリンク事前スケジューリング情報として送信することを行うように構成され、アップリンク事前スケジューリング情報は、第２のセルに対して高アップリンク干渉をもたらす能力を有する少なくとも１つのＵＥに実際のアップリンクトラフィックリソース割当て許可が付与される前の、第２のセルに対して高アップリンク干渉をもたらす能力を有する少なくとも１つのＵＥへのアップリンクトラフィックリソース割当てに関する情報を備える。少なくとも１つのプロセッサはまた、第２のセルによって、受信されたアップリンク事前スケジューリング情報に少なくとも部分的に基づいて、第２のセルとのアップリンク通信のために第２のＵＥグループの１つまたは複数のＵＥをスケジュールすることに対応するために、アップリンク事前スケジューリング情報を送信した後の期間に第１のＵＥグループのＵＥにアップリンクトラフィックリソース割当てを許可することを行うように構成される。
【図面の簡単な説明】
【００１４】
【図１】モバイル通信システムの一例を示すブロック図。
【図２】モバイル通信システムにおけるダウンリンクフレーム構造の一例を示すブロック図。
【図３】マクロｅＮＢおよびピコｅＮＢがいくつかのＵＥと通信状態にあるシナリオを示すブロック図。
【図４Ａ】本開示の態様によるアップリンク多地点協調（ＣｏＭＰ）通信を実現するセルの動作を示すフロー図。
【図４Ｂ】本開示の態様によるアップリンク多地点協調（ＣｏＭＰ）通信を実現するセルの動作を示すフロー図。
【図５】本開示の態様によるアップリンクＣｏＭＰをサポートするためにピコセルおよびマクロセルによって実行される処理を示す図。
【図６】ハイブリッド自動再送信（ＨＡＲＱ）を用いたアップリンクデータ送信を示す図。
【図７】本開示の態様によるアップリンクＣｏＭＰをサポートするためのプロセスの設計を示す図。
【図８】本開示の態様によるアップリンクＣｏＭＰをサポートするためのプロセスの設計を示す図。
【図９】本開示の態様によるアップリンクＣｏＭＰによるデータ送信のためのプロセスの設計を示す図。
【図１０】本開示の一態様に従って構成された基地局／ｅＮＢおよびＵＥの設計を示すブロック図。
【発明を実施するための形態】
【００１５】
本明細書では、パフォーマンスを改善するために干渉緩和を伴うアップリンク上でのデータ送信をサポートするための技法が開示される。これらの技法は、ＣＤＭＡ、ＴＤＭＡ、ＦＤＭＡ、ＯＦＤＭＡ、ＳＣ−ＦＤＭＡおよび他のワイヤレスネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、広帯域ＣＤＭＡ（ＷＣＤＭＡ（登録商標））と、時分割同期ＣＤＭＡ（ＴＤ−ＳＣＤＭＡ）と、ＣＤＭＡの他の変形態とを含む。ｃｄｍａ２０００は、ＩＳ−２０００、ＩＳ−９５およびＩＳ−８５６規格をカバーする。ＴＤＭＡネットワークは、たとえば、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標）およびＷｉ−Ｆｉ  Ｄｉｒｅｃｔ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。周波数分割複信（ＦＤＤ）と時分割複信（ＴＤＤ）の両方における３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００１６】
図１は、ＬＴＥネットワークまたは何らかの他のワイヤレスネットワークであり得る、ワイヤレス通信ネットワーク１００を示す。ワイヤレスネットワーク１００は、複数の発展型ノードＢ（ｅＮＢ）１１０、１１２および１１４と、他のネットワークエンティティとを含むことができる。ｅＮＢは、ＵＥと通信するエンティティであり得、基地局、ノードＢ、アクセスポイントなどと呼ばれることもある。各ｅＮＢは、特定の地理的エリアに対して通信カバレージを提供し得、カバレージエリア内に位置するＵＥのための通信をサポートし得る。ネットワーク容量を改善するために、ｅＮＢの全体的なカバレージエリアは複数（たとえば、３つ）のより小さいエリアに区分され得る。より小さい各エリアは、それぞれのｅＮＢサブシステムによってサービスされ得る。３ＧＰＰでは、「セル」という用語は、このカバレージエリアにサービスするｅＮＢおよび／またはｅＮＢサブシステムのカバレージエリアを指し得る。概して、ｅＮＢは、１つまたは複数の（たとえば、３つの）セルをサポートし得る。
【００１７】
ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーすることができ、サービスに加入しているＵＥによる無制限アクセスを可能にし得る。ピコセルは、比較的小さい地理的エリアをカバーすることができ、サービスに加入しているＵＥによる無制限アクセスを可能にし得る。フェムトセルは、比較的小さい地理的エリア（たとえば、自宅）をカバーすることができ、フェムトセルとの関連を有するＵＥ（たとえば、限定加入者グループ（ＣＳＧ）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはホームｅＮＢ（ＨｅＮＢ）と呼ばれることがある。図１に示す例では、ｅＮＢ１１０はマクロセル１３０のためのマクロｅＮＢであり、ｅＮＢ１１２はピコセル１３２のためのピコｅＮＢであり、ｅＮＢ１１４はフェムトセル１３４のためのホームｅＮＢである。「ｅＮＢ」、「セル」、および「基地局」という用語は互換的に使用され得る。
【００１８】
ワイヤレスネットワーク１００はまた、中継器を含み得る。中継器は、上流局（たとえば、ｅＮＢまたはＵＥ）からデータの送信を受信し、そのデータの送信を下流局（たとえば、ＵＥまたはｅＮＢ）に送ることができるエンティティであり得る。中継器はまた、他のＵＥに対して送信を中継することができるＵＥであり得る。図１に示す例では、中継器１１６は、マクロｅＮＢ１１２およびＵＥ１２６との通信を、ｅＮＢ１１０とＵＥ１２６との間の通信を促進するために行う。中継器はまた、中継局、中継ｅＮＢ、中継基地局などと呼ばれることもある。
【００１９】
ワイヤレスネットワーク１００は、様々なタイプのｅＮＢ、たとえば、マクロｅＮＢ、ピコｅＮＢ、ホームｅＮＢ、中継器などを含む異種ネットワーク（ＨｅｔＮｅｔ）であり得る。これらの異なるタイプのｅＮＢは、異なる送信電力レベルと、異なるカバレージエリアと、ワイヤレスネットワーク１００内の干渉に対する異なる影響とを有し得る。たとえば、マクロｅＮＢは、高い送信電力レベル（たとえば、５〜４０ワット）を有し得るが、ピコｅＮＢ、ＨｅＮＢ、および中継器は、より低い送信電力レベル（たとえば、０．１〜２ワット）を有し得る。
【００２０】
ネットワークコントローラ１４０は、ｅＮＢのセットに結合することができ、これらのｅＮＢの協調および制御を行うことができる。ネットワークコントローラ１４０は、バックホールを介してｅＮＢと通信することができる。ｅＮＢも、たとえば直接的または間接的にワイヤレスバックホールまたはワイヤラインバックホールを介して、互いに通信することができる。たとえば、マクロｅＮＢ１１０は、３ＧＰＰによって規定されるＸ２インターフェースを介してピコｅＮＢ１１２および／またはホームｅＮＢ１１４と通信することができる。
【００２１】
ＵＥ１２０〜１２６はワイヤレスネットワーク１００中に拡散されていてもよく、各ＵＥは固定であってもモバイルであってもよい。ＵＥは、移動局、端末、アクセス端末、加入者ユニット、局などとも呼ばれることがある。ＵＥは、セルラーフォン、スマートフォン、タブレット、ワイヤレス通信デバイス、携帯情報端末（ＰＤＡ）、ワイヤレスモデム、ハンドヘルドデバイス、ラップトップコンピュータ、コードレスフォン、ワイヤレスローカルループ（ＷＬＬ）局、ネットブック、スマートブックなどであり得る。ＵＥは、ダウンリンクおよび／またはアップリンク上でのデータ送信に関してＵＥにサービスするために指定されたｅＮＢであり得るサービングｅＮＢと通信し得る。マクロｅＮＢと通信するＵＥは、マクロＵＥ（ＭＵＥ）と呼ばれることがある。ピコｅＮＢと通信するＵＥは、ピコＵＥ（ＰＵＥ）と呼ばれることがある。ホームｅＮＢと通信するＵＥは、ホームｅＮＢ（ＨＵＥ）と呼ばれることがある。図１に示す例では、ＵＥ１２０は、マクロｅＮＢ１１０と通信するＭＵＥであり、ＵＥ１２２は、ピコｅＮＢ１１２と通信するＰＵＥであり、ＵＥ１２４は、ホームｅＮＢ１１４と通信するＨＵＥである。
【００２２】
ＬＴＥは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、周波数レンジを、一般にトーン、ビンなどとも呼ばれる複数（ＮFFT個）の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は一定であってよく、サブキャリアの総数（ＮFFT）はシステム帯域幅に依存し得る。たとえば、サブキャリア間隔は１５キロヘルツ（ｋＨｚ）であり得、ＮFFTは、１．４、３、５、１０または２０メガヘルツ（ＭＨｚ）のシステム帯域幅に対してそれぞれ１２８、２５６、５１２、１０２４または２０４８に等しくなり得る。
【００２３】
図２は、ＬＴＥにおけるＦＤＤのための例示的なフレーム構造２００を示す。ダウンリンクおよびアップリンクの各々の送信タイムラインは、無線フレームの単位に区分され得る。各無線フレームは、所定の持続時間（たとえば、１０ミリ秒（ｍｓ））を有することができ、図示の実施形態の０〜９のインデックスをもつ１０個のサブフレームなどのサブフレームに区分され得る。各サブフレームは２個のスロットを含むことができる。各スロットは、Ｌ個のシンボル期間、たとえば、（図２に示すように）ノーマルサイクリックプレフィックスの場合は７個シンボル期間、または拡張サイクリックプレフィックスの場合は６個のシンボル期間を含み得る。各サブフレーム中の２Ｌ個のシンボル期間には０〜２Ｌ−１のインデックスが割り当てられ得る。ダウンリンクおよびアップリンクの各々のための利用可能な時間周波数リソースは、リソースブロックに区分され得る。各リソースブロックは、１つのスロットで１２個のサブキャリアをカバーすることができ、複数のリソース要素を含むことができる。各リソース要素は、たとえば、１つのシンボル期間で１つのサブキャリアをカバーすることができ、実数値または複素数値であり得る１つの変調シンボルを送るために使用され得る。
【００２４】
ダウンリンクのためのサブフレームは、図２に示すように時分割多重（ＴＤＭ）であり得る、制御領域とデータ領域とを含み得る。ｅＮＢは、制御領域中の物理ダウンリンク制御チャネル（ＰＤＣＣＨ）上でダウンリンク制御情報（ＤＣＩ：downlink control information）をＵＥに送り得る。ｅＮＢは、データ領域中の物理ダウンリンク共有チャネル（ＰＤＳＣＨ）上でデータおよび／または他の情報をＵＥに送り得る。
【００２５】
アップリンクのためのサブフレームは、図２に示すように周波数分割多重（ＦＤＭ）であり得る、制御領域とデータ領域とを含み得る。ＵＥは、制御領域中の物理アップリンク制御チャネル（ＰＵＣＣＨ）上でアップリンク制御情報（ＵＣＩ：uplink control information）をｅＮＢに送り得る。ＵＥは、データ領域中の物理アップリンク共有チャネル（ＰＵＳＣＨ）上でデータのみまたはデータとＵＣＩの両方をｅＮＢに送り得る。
【００２６】
ダウンリンクおよびアップリンク用のサブフレームフォーマットおよびチャネルは、公的に入手可能な「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ３６．２１１に記載されている。
【００２７】
一態様では、干渉緩和を伴うアップリンク上でのデータ送信は、サポートされることがあり、アップリンク多地点協調（ＣｏＭＰ）、アップリンク空間協調（uplink spatial coordination）などと呼ばれることがある。アップリンクＣｏＭＰの場合、所与のセルは、近隣セルと通信する一方で当該所与のセルに対して高干渉をもたらす干渉ＵＥを識別することができる。セルは、干渉ＵＥが近隣セルによってアップリンクデータ送信のためにスケジュールされているリソース（たとえば、リソースブロック）上の干渉ＵＥに起因する干渉を推定することができる。セルはそのＵＥを、干渉ＵＥからの干渉が緩和され得るようにスケジュールすることができる。干渉緩和は、影響されるすべてのＵＥのデータ送信パフォーマンスを改善することができる。
【００２８】
アップリンクＣｏＭＰは、様々なタイプのセルに使用され得る。明快のために、アップリンクＣｏＭＰについては、単一のマクロセルおよび単一のピコセルによる動作シナリオに関して以下で説明する。一般に、アップリンクＣｏＭＰは、任意のタイプのセルに、また各タイプの任意の数のセルに使用され得る。
【００２９】
図３は、マクロｅＮＢ１１０およびピコｅＮＢ１１２がいくつかのＵＥと通信するシナリオを示す。マクロｅＮＢ１１０はマクロセルとも呼ばれ、ピコｅＮＢ１１２はピコセルとも呼ばれる。図３に示す例では、マクロセルは、それぞれＭＵＥ１、ＭＵＥ２およびＭＵＥ３とも呼ばれる３つのＭＵＥ１２０ａ、１２０ｂおよび１２０ｃと通信する。ピコセルは、それぞれＰＵＥ１、ＰＵＥ２およびＰＵＥ３とも呼ばれる３つのＰＵＥ１２２ａ、１２２ｂおよび１２２ｃと通信する。
【００３０】
ＭＵＥは、マクロセルによってアップリンク上でのデータ送信のためにスケジュールされたときに、マクロセルにデータを送信することができる。ＭＵＥによってマクロセルに送られたデータ送信は、ピコセルに対して干渉をもたらすことがある。同様に、ＰＵＥは、ピコセルによってアップリンク上でのデータ送信のためにスケジュールされたときに、ピコセルにデータを送信することができる。ＰＵＥによってピコセルに送られたデータ送信は、マクロセルに対して干渉をもたらすことがある。概して、ＵＥによってそのサービングセルに送られたデータ送信は、近隣セルに対して干渉をもたらすことがある。ＵＥによって所与の近隣セルにもたらされる干渉の量は、ＵＥから近隣セルへのパスロス（ＰＬ）に左右される。
【００３１】
図３では、ライン１５０は、等しいパスロス境界を表しており、この境界は、マクロセルへのパスロスがピコセルへのパスロスに等しくなる境界である。等しいパスロス境界の近くに位置するＵＥは、サービングセルのより近くに位置する他のＵＥと比較して、近隣セルに対して相当な干渉をもたらすことがある。たとえば、ＭＵＥ２およびＭＵＥ３は、ＭＵＥ１と比較して、等しいパスロス境界のより近くに位置し、概して、ピコセルに対してはるかに高い干渉をもたらす。同様に、ＰＵＥ１およびＰＵＥ２は、ＰＵＥ３と比較して、等しいパスロス境界のより近くに位置し、概して、マクロセルに対して高い干渉をもたらす。ピコセルは、ＭＵＥ２およびＭＵＥ３によってもたらされる干渉を正確に推定することができる場合、下記のようにパフォーマンスが改善され得るように、推定干渉に基づいてそのＰＵＥをスケジュールすることができる。
【００３２】
図３に示すように、様々なタイプのセルを有するワイヤレスネットワークにおいて、アップリンクＣｏＭＰは特に望ましいことがある。たとえば、マクロセルは、ピコセルよりもはるかに高い送信電力レベルを有し得る。ライン１５２は、ハンドオーバ境界を表しており、この境界は、マクロセルの受信信号品質（または受信信号電力）がピコセルの受信信号品質に等しくなる境界である。受信信号品質は、（下記の大部分で仮定される）信号対雑音干渉比（ＳＩＮＲ：signal-to-noise-and-interference ratio）または何らかの他の測定基準によって与えられ得る。ダウンリンク上でマクロセルのＳＩＮＲがより優れていることから、ライン１５０とライン１５２との間に位置するＵＥ（たとえば、ＰＵＥ１）にサービスするために、マクロセルが選択されることがある。このＵＥは、ピコセルへのパスロスがより小さいことから、ピコセルに対して高干渉をもたらすことがある。高干渉は、しきい値を超える干渉と定義され得る。このＵＥによってもたらされる高干渉は、アップリンクＣｏＭＰを介して緩和され得る。
【００３３】
図４Ａおよび図４Ｂは、アップリンクＣｏＭＰをサポートするためのプロセスの設計を示す。図４Ａおよび図４Ｂのプロセス４００および４２０は、アップリンクＣｏＭＰをサポートするために１つまたは複数の近隣セルと協調し得るセルまたは何らかの他のエンティティによって実行され得る。明快のために、以下の説明では、図４Ａのプロセス４００が図３のピコセルによって実行され、図４Ｂのプロセス４２０が図３のマクロセルによって実行され、これらのセルがアップリンクＣｏＭＰをサポートするために互いに協調すると仮定している。
【００３４】
ピコセルは、１つまたは複数の干渉ＭＵＥを、ピコセルに対して高アップリンク干渉をもたらす可能性があるものとして識別することができる（ブロック４１２）。これは様々な方法で達成され得る。１つの設計では、ピコセルは最初に、ピコセルに対して高アップリンク干渉をもたらす能力を有するＭＵＥを発見し得る。たとえば、各ＭＵＥは、マクロセルがそのＭＵＥに関するチャネル推定と信号品質測定とを実行できるように、サウンディング基準信号（ＳＲＳ）などのパイロット信号または基準信号を周期的に送信し得る。ピコセルは、ピコセルによって受信されたマクロセルに対してＭＵＥパイロット信号送信に基づいて、各ＭＵＥに起因するアップリンク干渉を推定することができる。したがって、ピコセルは、これらのＭＵＥからのパイロット信号に起因する推定干渉に基づいて、ピコセルに対して高アップリンク干渉をもたらす能力を有するＭＵＥを発見し得る。発見されたＭＵＥは、ピコセルのためのＣｏＭＰセットに置かれ得る。
【００３５】
実施形態による動作では、ＭＵＥパイロット信号構成に関する情報が、ピコセルに対して高アップリンク干渉をもたらす能力を有するＭＵＥを発見する際にピコセルによって使用されるように、ピコセルによってマクロセルから、たとえばセル間のバックホール通信リンクを使用して受信される（ブロック４１２ａ）。たとえば、マクロセルは、各ＭＵＥまたはＭＵＥの何らかのサブセット（たとえば、ピコセルに対して高アップリンク干渉をもたらす可能性が高いエリアに配置されたＭＵＥ、ピコセルに対して高アップリンク干渉をもたらすことと整合する属性を示すＭＵＥ、ピコセルにおけるアップリンク送信に干渉する可能性があるものとしてマクロセルによって識別されたＭＵＥなど）に関するＳＲＳ構成情報を、ＭＵＥ  ＳＲＳ送信をモニタする際にピコセルによって使用されるように、ピコセルに提供することができる。パイロット信号構成情報は、ピコセルによってアップリンク干渉のソースとして個々のＭＵＥを識別するための情報（たとえば、ＭＵＥに割り当てられたパイロットパターン、サブフレーム送信速度、ＭＵＥ識別情報、送信電力レベルなど）を備えることができる。
【００３６】
上述のＣｏＭＰセット中のＭＵＥ（すなわち、ピコセルに対して高アップリンク干渉をもたらす可能性があるものとして識別されたＭＵＥ）は、アップリンク上でのデータ送信のためにスケジュールされたときのみ、ピコセルに対して高干渉をもたらすことがある。１つの設計では、マクロセルは、ＣｏＭＰセット中の任意のＭＵＥがアップリンク上でのデータ送信のためにスケジュールされたときはいつでも、ピコセルに知らせるためにアップリンクスケジューリング情報を送ることができる。その場合にピコセルは、マクロセルからのアップリンクスケジューリング情報に基づいて（１つまたは複数の）干渉ＭＵＥを識別することができる。たとえば、マクロセルは、ＣｏＭＰセット中のＭＵＥの事前スケジューリングを実行することができ、事前スケジュールされたＭＵＥに関する事前スケジュールされたアップリンクスケジューリング情報（本明細書では事前スケジューリング情報と呼ぶ）を、たとえばセル間のバックホール通信リンクを使用してピコセルに送ることができる。その場合にピコセルは、そのＰＵＥをスケジュールする前に、干渉ＭＵＥを知ることができる。実施形態による動作では、ピコセルがＭＵＥによるデータ送信に起因するアップリンク干渉を推定し、推定ＭＵＥ干渉に基づいてＰＵＥアップリンク送信をスケジュールすることができるように、ピコセルは、これらのスケジュールされたＭＵＥによる実際のデータ送信よりも十分に前にＭＵＥ事前スケジューリング情報を受信する（ブロック４１４ａ）。事前スケジューリング情報は、ピコセルによってＰＵＥをスケジュールする際に有用な情報（たとえば、特定のＭＵＥに割り当てられる時間周波数リソースなどのリソース、特定のＭＵＥによって使用される送信電力レベル、ＭＵＥ識別情報など）を備えることができる。
【００３７】
ピコセルは、（１つまたは複数の）干渉ＭＵＥからのアップリンクデータ送信に起因するアップリンク干渉を推定することができる（ブロック４１４）。１つの設計では、ピコセルは、マクロセルに対してＭＵＥのパイロット信号送信に起因するピコセルにおける干渉に関する情報を使用して、ＭＵＥアップリンクデータ送信に関連するアップリンク干渉を推定することができる。したがって、実施形態のピコセルは、パイロット信号を送信するのに使用されるリソース（またはパイロットリソース）上における、潜在的干渉ＭＵＥからのパイロット信号に起因する干渉を決定する。ＭＵＥによるパイロット信号送信に起因する干渉は、ＣｏＭＰセットのＭＵＥを識別する実施形態に従って決定される。さらに、実施形態のピコセルは、正確な最新のＭＵＥ情報を維持するために（たとえば、ＭＵＥは、マクロセルとの通信を中止することがある、ＭＵＥは、ピコセルに対して位置を変えることがある、信号パス条件は、ＭＵＥとは無関係に変化することがある、など）そのようなＭＵＥパイロット信号送信を（たとえば、周期的に、継続的に、など）モニタし続ける。
【００３８】
ピコセルは、干渉ＭＵＥからのデータ送信に起因する、データ送信のためにそれぞれのＭＵＥに割り当てられたリソース（データリソース）上の干渉を、（ｉ）ＭＵＥからのパイロット信号に起因する、パイロット信号リソース上の決定された干渉、および（ｉｉ）場合によっては追加情報に基づいて推定することができる。追加情報は、たとえば、干渉ＭＵＥからのパイロット信号の送信電力レベルとＭＵＥからのデータ送信の送信電力レベルとの間の電力オフセットを備えることができる。
【００３９】
ピコセルは、（１つまたは複数の）干渉ＭＵＥからのデータ送信に起因する推定干渉に基づいて、少なくとも１つのＰＵＥをスケジュールすることができる（ブロック４１６）。ピコセルは、推定ＭＵＥ干渉に基づいてＰＵＥをスケジュールする際に、ＵＥ選択、リンク適応、アップリンク多入力多出力（ＭＩＭＯ）、またはそれらの組合せを実行することができる。ＵＥ選択の場合、ピコセルは、干渉ＭＵＥからの推定干渉が高いデータリソース上にスケジュールするのに適したＰＵＥを選択することができる。選択されるＰＵＥは、ピコセルへのパスロスが小さいＰＵＥであってよく、結果的に、干渉ＭＵＥからの干渉が高くても、ピコセルにおけるＰＵＥにとって許容可能なＳＩＮＲが生じ得る。リンク適応の場合、ピコセルは、干渉ＭＵＥからの推定干渉が高いデータリソース上にスケジュールされるＰＵＥのために適切な変調およびコーディングスキーム（ＭＣＳ）を選択することができる。選択されるＭＣＳは、干渉ＭＵＥからの干渉が高くても、スケジュールされたＰＵＥからのデータ送信をピコセルが確実に受信し復号することを可能にするものである。アップリンクＭＩＭＯの場合、ＵＥは、ビームフォーミングを介して干渉の大部分が回避されるように、プリコーディングベクトルまたは行列を用いてアップリンクデータ送信のためのプリコーディングを実行することができる。アップリンクＭＩＭＯは事実上、空間領域における干渉回避である。
【００４０】
ここで図４Ｂを参照すると、マクロセルによって実行されるプロセス４２０が示されており、マクロセルは（たとえば、バックホール通信リンクを介して）ピコセルに対し、ＵＥパイロットまたは他の基準信号情報を送信することができる（ブロック４２２）。ＵＥパイロットまたは他の基準信号情報は、第１のＵＥグループの１つまたは複数のＵＥによるパイロット信号または他の基準信号送信に関する情報を含むことができ、この場合に第１のＵＥグループの１つまたは複数のＵＥは、マクロセルと通信状態にある。第１のＵＥグループの１つまたは複数のＵＥのうちの少なくとも１つのＵＥは、ピコセルに対して高アップリンク干渉をもたらす能力を有すると決定される（４２４）。たとえば、マクロセルは、ピコセルに対して高アップリンク干渉をもたらす能力を有するＭＵＥに関する情報をピコセルから受信することがあり、ＭＵＥによるパイロットまたは他の基準信号送信をモニタしているピコセルによって決定され得る。そのような情報はマクロセルによって、第２のセルに対して高アップリンク干渉をもたらす能力を有するＵＥを決定するために使用され得る。マクロセルは、マクロセルとのアップリンク通信のために第１のＵＥグループのＵＥをスケジュールする（ブロック４２６）。マクロセルは（たとえば、バックホール通信リンクを介して）ピコセルに対し、高アップリンク干渉をもたらす能力を有するＵＥのスケジューリングに関する情報をアップリンク事前スケジューリング情報として送信する（ブロック４２８）。実施形態のアップリンク事前スケジューリング情報は、ピコセルに対して高アップリンク干渉をもたらす能力を有するＵＥに実際のアップリンクトラフィックリソース割当て許可が付与される前の、ピコセルに対して高アップリンク干渉をもたらす能力を有する少なくとも１つのＵＥへのアップリンクトラフィックリソース割当てに関する情報を備える。マクロセルは、ピコセルによって、（たとえば、受信されたアップリンク事前スケジューリング情報に少なくとも部分的に基づいて）ピコセルとのアップリンク通信のために第２のＵＥグループの１つまたは複数のＵＥをスケジュールすることに対応するために、アップリンク事前スケジューリング情報を送信した後の期間に第１のＵＥグループのＵＥにアップリンクトラフィックリソース割当てを許可する（ブロック４３０）。
【００４１】
上記から諒解され得るように、図４Ａおよび図４Ｂは、セルによるアップリンクＣｏＭＰをサポートするためのプロセスの例示的な設計を示している。図４Ａのブロック４１２、４１４、および４１６、ならびに図４Ｂのブロック４２２、４２４、４２６、４２８、および４３０の各々は、様々な方法で実行され得る。アップリンクＣｏＭＰは、他の方法で、たとえば、図４Ａおよび図４Ｂに示されていない異なる処理ステップおよび／または追加の処理ステップによりサポートされてもよい。
【００４２】
近隣セルは、アップリンクＣｏＭＰをサポートするために協力し、それらの動作を協調させる。上記のプロセスの例示的な実装形態について以下で説明する。明快のために、以下の説明は、図３に示すような１つのピコセルおよび１つのマクロセルによる動作シナリオに関するものである。
【００４３】
１つの設計では、マクロセルは、アップリンクＣｏＭＰをサポートするためにＵＥを事前スケジュールするのに使用され得るいくつかのアップリンクリソースを予約することができる。１つの設計では、周波数分割多重（ＦＤＭ）が利用されることがあり、予約済みリソースは、システム帯域幅の一部分におけるリソースブロックを含み得る。予約済みリソースはまた、他の方法で選択されたリソースブロックおよび／または他のリソースを含み得る。マクロセルは、ピコセルのためのＣｏＭＰセットを維持することができる。ピコセルに対して高アップリンク干渉をもたらすことがあり、ピコセルに対してアップリンク干渉を緩和するように事前スケジュールされ得るＭＵＥを、ＣｏＭＰセットは含むことができる。ＣｏＭＰセットは、下記のように形成され得る。１つの設計では、マクロセルがＣｏＭＰセット中のＭＵＥを事前スケジュールすることができるのは、予約済みリソース上であり、他のアップリンクリソース上ではない。マクロセルは予約済みリソース上に、たとえば、これらのリソースがＣｏＭＰセット中のＵＥに使用されないときに、リソースをより十分に利用するために、ＣｏＭＰセット中にないＭＵＥをスケジュールすることもできる。マクロセルは、予約済みリソースをピコセルに知らせることができる。ピコセルは、予約済みリソースにおけるバックグラウンド干渉を推定することができ、推定バックグラウンド干渉をリンク適応に使用することができる。具体的には、ピコセルは、干渉の推定が必要になるＳＩＮＲの推定に基づいて適切なＭＣＳを選択することができる。別の設計では、マクロセルは、任意のアップリンクリソース上にＣｏＭＰセット中のＭＵＥを事前スケジュールすることができる。
【００４４】
１つの設計では、マクロセルと通信するＭＵＥは、ＳＲＳを周期的に送信するように構成され得る。ＳＲＳはマクロセルによって、チャネル推定、信号品質測定、および／または他の目的に使用されることがある。本明細書における概念によれば、ＳＲＳまたは他の適切な信号がピコセルによって、干渉推定および／または他の目的に使用されることもある。各ＭＵＥは、特定のＳＲＳ構成に関連付けられることがあり、このＳＲＳ構成は、ＭＵＥがＳＲＳを送信する頻度、ＳＲＳを送信する特定のサブフレーム、ＳＲＳを送信するために使用する特定のリソース（たとえば、リソース要素）、ＳＲＳの送信電力レベルなどを含み得る。ＭＵＥごとに、異なるＳＲＳ構成に関連付けられることがあり、異なるリソース上でＳＲＳを送信することがある。マクロセルは、たとえばバックホールリンクを介してピコセルにＳＲＳ構成情報を通信することによって、マクロセルと通信するすべてのＭＵＥ、またはそれらの何らかのサブセットのＳＲＳ構成をピコセルに知らせることができる。
【００４５】
１つの設計では、ピコセルは、ピコセルに対して高アップリンク干渉をもたらす能力を有するＵＥを発見し得る。ピコセルは、各ＭＵＥからのＳＲＳを、そのＭＵＥに関するＳＲＳ構成に基づいて受信することができる。ピコセルは、各ＭＵＥからのＳＲＳの受信電力を決定することができる。ピコセルは、各ＭＵＥからのＳＲＳの受信電力をしきい値と比較することができる。ピコセルは、ＳＲＳの受信電力がしきい値を超えるＭＵＥを、アップリンク上でのデータ送信のためにスケジュールされたときに、ピコセルに対して高アップリンク干渉をもたらし得るＭＵＥとして識別することができる。ピコセルは、これらのＭＵＥをマクロセルに報告することができる。マクロセルは、ピコセルによって報告されたＭＵＥをＣｏＭＰセットに含めることができる。マクロセルおよび／またはピコセルは、識別されたＭＵＥを備えるＣｏＭＰセットを維持することができる。
【００４６】
別の設計では、マクロセルは、ピコセルに対して高干渉をもたらす能力を有するＵＥを発見し得る。たとえば、ＭＵＥはセルを、これらのセルによって送信された同期信号および／またはセル固有基準信号（ＣＲＳ）に基づいて検出することができる。ＭＵＥは、検出された各セルの受信電力を測定することができ、受信電力がしきい値を超えるセルを識別することができる。ＭＵＥは、識別されたセルのほか、場合によってはこれらのセルの受信電力もマクロセルに報告することができる。マクロセルは、ピコセルのために高受信電力を有するＭＵＥを識別することができる。これらのＭＵＥは、ピコセルへのダウンリンク上での低パスロスを有することがあり、ピコセルへのアップリンク上での低パスロスを有することもある。これらのＭＵＥは、ピコセルに対して高干渉をもたらす能力を有することがあり、ピコセルのためのＣｏＭＰセットに含められ得る。
【００４７】
ピコセルに対して高干渉をもたらす能力を有するＭＵＥは、他の方法で決定されてもよい。マクロセルがこれらのＭＵＥの事前スケジューリングを実行するのを促進するために、これらのＭＵＥはマクロセルに知られてよい。
【００４８】
１つの設計では、マクロセルは、ピコセルに対して高干渉をもたらし得るＣｏＭＰセット中のＭＵＥを事前スケジュールすることができる。事前スケジューリングは、アップリンクデータ送信のためのＵＥに対するリソースの割当て／付与を指すことがあり、一方でスケジューリングは、ＵＥに対する割当て／付与の送信を指すことがある。事前スケジューリングおよびスケジューリングは、異なる時間に生じ得るが、ＵＥからの同じアップリンクデータ送信に関係し得る。たとえば、マクロセルはＭＵＥに対するリソースの割当て／付与を、サブフレームｎ＋４におけるデータ送信のためにサブフレームｎにおいて、以下の図６に示すように（ｔは、前述の例のｎを表す）送ることができる。マクロセルは、サブフレームｎ−６などの先行サブフレームにおいて、ＭＵＥのスケジューリング決定を行うことができる（すなわち、データ送信のためにＭＵＥを事前スケジュールすることができる）。この例では、ＭＵＥは、６サブフレーム前または６ｍｓ前に事前スケジュールされる。そのような事前スケジューリングの理由は、ピコセルがマクロセルからの事前スケジューリング情報に基づいて、そのＰＵＥアップリンク送信スケジューリング決定を調整するいくらかの時間を与えることにある。
【００４９】
マクロセルはピコセルに対し、ＣｏＭＰセット中の事前スケジュールされたＭＵＥに関するアップリンク事前スケジューリング情報を送ることができる。アップリンク事前スケジューリング情報は、事前スケジュールされたＭＵＥに割り当てられたリソース、事前スケジュールされたＭＵＥの電力制御更新、事前スケジュールされたＭＵＥのＳＲＳとＰＵＳＣＨとの間の電力オフセット、および／または他の情報を含むことができる。電力オフセットは、ＳＲＳの送信電力レベルとＰＵＳＣＨ上のデータ送信の送信電力レベルとの間の差異を伝えることができる。
【００５０】
ピコセルは、マクロセルからアップリンク事前スケジューリング情報を受信することがあり、ＣｏＭＰセット中の事前スケジュールされたＭＵＥからのデータ送信に起因する干渉を推定し得る。ピコセルは次のように、事前スケジュールされた各ＭＵＥのパスロスを、そのＭＵＥから受信されたＳＲＳに基づいて決定することができる。
【数１】
0005852258.tif 000002
【００５１】
上式で、ＰTX,SRSは、ＭＵＥからのＳＲＳの送信電力レベルであり、
ＰRX,SRSは、ＵＥからのＳＲＳの受信電力レベルであり、
ＰＬは、ＭＵＥからピコセルへのパスロスである。
【００５２】
各ＭＵＥによって送られるＳＲＳの送信電力レベルは、マクロセルにおいて所定の範囲内にＳＲＳのＳＩＮＲを維持するために、マクロセルによって制御され得る。ピコセルは、各ＭＵＥのＳＲＳの送信電力レベルを、そのＭＵＥのＳＲＳの電力制御更新に基づいて決定することができる。
【００５３】
ピコセルは次のように、事前スケジュールされた各ＭＵＥからのＰＵＳＣＨ上のデータ送信に起因する干渉を推定することができる。
【数２】
0005852258.tif 000003
【００５４】
上式で、ＰTX,PUSCHは、ＭＵＥのＰＵＳＣＨの送信電力レベルであり、ＰOSは、ＭＵＥのＳＲＳとＰＵＳＣＨとの間の電力オフセットであり、
ＰINTは、ピコセルにおけるＭＵＥからのデータ送信に起因する干渉である。
【００５５】
式（３）に示すように、事前スケジュールされた各ＭＵＥのＰＵＳＣＨの送信電力レベルは、ＳＲＳの送信電力レベルおよびＭＵＥのＳＲＳとＰＵＳＣＨとの間の電力オフセットに基づいて決定される。式（２）に示すように、事前スケジュールされた各ＭＵＥからのアップリンクデータ送信に起因する干渉は、データ送信を搬送しているＰＵＳＣＨの送信電力レベルおよびＭＵＥのパスロスに基づいて推定され得る。ピコセルは、事前スケジュールされたＭＵＥごとに決定された干渉ＰINTが、アップリンク上でのデータ送信のためにＭＵＥに割り当てられたリソース上に存在することになると仮定し得る。これらのリソースは、アップリンク事前スケジューリング情報によって伝えられ、それによりピコセルに知られ得る。
【００５６】
ピコセルは、アップリンク送信のためにそのＰＵＥを、事前スケジュールされたＭＵＥからのアップリンクデータ送信に起因する干渉を緩和するようにスケジュールすることができる。１つの設計では、ピコセルは、ＵＥ選択を実行し、事前スケジュールされたＭＵＥからの干渉が高いリソース上に適切なＰＵＥをスケジュールすることができる。たとえば、ピコセルは、干渉が高いリソース上に、ピコセルのより近くに位置するＰＵＥ（たとえば、図３のＰＵＥ３）をスケジュールすることができる。このようにＰＵＥが近いほど、ピコセルへのパスロスは小さくなり、ピコセルにおける受信電力は高くなる。したがって、このＰＵＥは、事前スケジュールされたＭＵＥからの干渉が高くなっても、許容可能なＳＩＮＲを達成することが可能であり得る。ピコセルは、事前スケジュールされたＭＵＥからの干渉がそれほどまたはまったく存在しないリソース上に、同等パスロス境界の近くに位置するＰＵＥ（たとえば、図３のＰＵＥ１）をスケジュールすることができる。
【００５７】
追加または代替として、ピコセルは、事前スケジュールされたＭＵＥからの干渉が高いリソース上にスケジュールされたＰＵＥのリンク適応を実施するＰＵＥスケジューリングを実施することができる。たとえば、ピコセルは各ＰＵＥのＳＩＮＲを、ＰＵＥからの予想受信電力および事前スケジュールされたＭＵＥからの予想干渉に基づいて推定することができる。ピコセルは、１つまたは複数のＰＵＥのために、ＰＵＥの推定ＳＩＮＲに基づいてＭＣＳを選択することができる。ピコセルは、事前スケジュールされたＭＵＥからの高干渉を観測するＰＵＥのためには、より低いＭＣＳを選択して、これらのＰＵＥからのアップリンクデータ送信がピコセルによって確実に受信され得るようにすることができる。ピコセルは、事前スケジュールされたＭＵＥからの干渉をそれほどまたはまったく観測しないＰＵＥのためには、より高いＭＣＳを選択して、スループットを改善することができる。ピコセルはそのＰＵＥを、ＭＵＥからの高干渉を考慮する他の方法でスケジュールしてもよい。
【００５８】
図５は、本明細書における実施形態によるアップリンクＣｏＭＰをサポートするためにピコセルおよびマクロセルによって実行される処理を示す。マクロセルは、アップリンクＣｏＭＰをサポートするためにいくつかのアップリンクリソースを予約することができる（ステップ１）。マクロセルは、予約済みリソースを伝える情報をピコセルに送ることができる（ステップ２）。マクロセルはそのＭＵＥを、アップリンク上でのＳＲＳの送信用に構成することができる（ステップ３）。マクロセルは、ＭＵＥのＳＲＳ構成を伝える情報をピコセルに送ることができる（ステップ４）。ＭＵＥは、それらのＳＲＳ構成に基づいてＳＲＳを送信することができる（ステップ５）。
【００５９】
ピコセルは、ＭＵＥからＳＲＳを受信することがあり、ＭＵＥからのＳＲＳに起因するピコセルにおける干渉を決定することができる（ステップ６）。ピコセルは、ＭＵＥからのＳＲＳに起因する干渉に基づいて、ピコセルに対して高アップリンク干渉をもたらす能力を有するＭＵＥを発見し得る（同じくステップ６）。たとえば、ＳＲＳに起因する干渉がしきい値を超えるＭＵＥは、ピコセルに対して高アップリンク干渉をもたらす能力を有するＭＵＥと見なされ得る。ピコセルは、発見されたＭＵＥをマクロセルに報告することができる（ステップ７）。高アップリンク干渉をもたらす能力を有するＭＵＥを備えるＣｏＭＰセットが、ピコセルのために形成され得る（ステップ８）。
【００６０】
マクロセルは、アップリンクデータ送信のためにＣｏＭＰセット中の１つまたは複数のＭＵＥを事前スケジュールすることができる（ステップ９）。マクロセルは、（１つまたは複数の）事前スケジュールされたＭＵＥに関するアップリンク事前スケジューリング情報をピコセルに送ることができる（ステップ１０）。アップリンク事前スケジューリング情報は、上記のように、（１つまたは複数の）事前スケジュールされたＭＵＥによるアップリンクデータ送信に関する様々なパラメータを伝えることができる。ピコセルは、上記のように、（１つまたは複数の）事前スケジュールされたＭＵＥからのアップリンクデータ送信に起因する干渉を、アップリンク事前スケジューリング情報および（１つまたは複数の）ＭＵＥからのＳＲＳに起因する干渉に基づいて推定することができる（ステップ１１）。ピコセルは、たとえばＵＥ選択、リンク適応などにより、（１つまたは複数の）事前スケジュールされたＭＵＥからの干渉を緩和するように、１つまたは複数のＰＵＥをスケジュールすることができる（ステップ１２）。ピコセルは、スケジュールされた各ＰＵＥにアップリンク許可を送ることができる（ステップ１３Ａ）。スケジュールされた各ＰＵＥは、ピコセルから受信されたアップリンク許可に従ってアップリンク上でデータ送信を送ることができる（同じくステップ１３Ａ）。同様にマクロセルは、スケジュールされた各ＰＵＥに、事前スケジューリング情報に従ったアップリンク許可を送ることができる。事前／スケジュールされた各ＭＵＥは、マクロセルから受信されたアップリンク許可に従ってアップリンク上でデータ送信を送ることができる（同じくステップ１３Ｂ）。（１つまたは複数の）スケジュールされたＭＵＥおよび（１つまたは複数の）スケジュールされたＰＵＥは、それらのデータ送信を、同じサブフレームで、また同じリソースブロックまたは異なるリソースブロック上で送ることができる。（１つまたは複数の）ＰＵＥからのアップリンクデータ送信は、（１つまたは複数の）ＭＵＥからの干渉がピコセルによって考慮されているので、良好なパフォーマンスを達成するはずである。
【００６１】
図５に示すように、マクロセルおよびピコセルは、アップリンクＣｏＭＰをサポートするためにバックホール（たとえば、Ｘ２インターフェース）を介してメッセージを交換することができる。実施形態に従って実施される事前スケジューリングは、ピコセルによる干渉推定およびＰＵＥスケジューリングに対応するために、スケジューリング許可よりも十分に前に行われる必要があるだけではなく、バックホールを介したメッセージ交換の遅延を考慮する必要もある。特に、マクロセルは、マクロセルとピコセルとの間の通信遅延（たとえば、Ｘ２遅延）を考慮して十分に早く事前スケジューリングを実行し、アップリンクスケジューリング情報を送る必要がある。
【００６２】
ワイヤレスネットワーク１００は、信頼性を改善するために、ハイブリッド自動再送信（ＨＡＲＱ）を用いたデータ送信をサポートし得る。ＨＡＲＱに関して、送信機は、データのパケットの最初の送信を送ることができ、パケットが受信機によって正しく復号されるか、またはパケットの最大回数の再送信が行われるか、または何らかのその他の終了条件が満たされるまで必要に応じてパケットの１回もしくは複数回の再送信を送ることができる。パケットは、トランスポートブロック、コードワード、データブロックなどと呼ばれることもある。パケットの各送信または再送信後に、受信機は、パケットを回復しようと試みるために、パケットのすべての受信された再／送信を復号し得、パケットが正しく復号された場合に確認応答（ＡＣＫ）を送り得るか、またはパケットが間違って復号された場合に否定応答（ＮＡＣＫ）を送り得る。送信機は、ＮＡＣＫが受信された場合にパケットの別の再送信を送り得、ＡＣＫが受信された場合にパケットの送信を終了し得る。送信機は、ターゲット終了（target termination）と呼ばれ得るターゲット回数（target number）のパケット送信の後、パケットが高い確率で正しく復号され得るように選択されたＭＣＳに基づいてパケットを処理（たとえば、符号化または変調）することができる。
【００６３】
図６は、ＨＡＲＱを用いたアップリンクデータ送信を示す。ＵＥは、サービングセルに送るべきデータを有することができ、ＰＵＣＣＨ上でスケジューリング要求（図６に図示せず）を送ることができる。セルは、ＵＥからスケジューリング要求を受信することができ、アップリンク上でのデータ送信のためにＵＥをスケジュールすることができる。セルは、アップリンクデータ送信に関する様々なパラメータを備えるアップリンク許可を生成することができ、サブフレームｔにおいてＵＥにアップリンク許可を送ることができる。
【００６４】
ＵＥは、セルからアップリンク許可を受信し、アップリンク許可に基づいてデータを処理し、サブフレームｔ＋４において、割り当てられたリソース上でデータ送信を送ることができる。セルは、ＵＥからのデータ送信を受信して復号することができ、サブフレームｔ＋８において、データ送信が正しく復号された場合にはＡＣＫ、データ送信が間違って復号された場合にはＮＡＣＫを送ることができる。セルはまた、サブフレームｔ＋８において、セルによってデータが間違って復号された場合には、ＵＥによる再送信のアップリンク許可を送ることができる。ＵＥは、セルからアップリンク許可を受信することができ、サブフレームｔ＋１２において、割り当てられたリソース上でデータの再送信を送ることができる。セルは、ＵＥから最初の送信と再送信とを受信して復号することができ、サブフレームｔ＋１６においてＡＣＫまたはＮＡＣＫを送ることができる。再送信およびＡＣＫ／ＮＡＣＫフィードバックは、セルによってデータが正しく復号されるまで同様に継続し得る。
【００６５】
図６は、アップリンク上でのデータ送信に関する８ｍｓのＨＡＲＱタイムラインを示す。具体的には、ＵＥは、８サブフレームまたは８ｍｓだけ離間したサブフレームにおいて、送信と再送信とを送ることができる。ＨＡＲＱを用いたデータ送信は、より長いＨＡＲＱタイムラインまたはより短いＨＡＲＱタイムラインによりサポートされてもよい。
【００６６】
アップリンクＣｏＭＰは、ＨＡＲＱを用いたアップリンクデータ送信に影響され得る。図６のセルは図３および図５のマクロセルであってよく、ＵＥはＭＵＥであってよい。マクロセルは、サブフレームｔ＋４における最初のデータ送信のためにＭＵＥを事前スケジュールすることができ、ＭＵＥに関するアップリンク事前スケジューリング情報をピコセルに送ることができる。一方でマクロセルは、サブフレームｔ＋１２における再送信のためにＭＵＥをスケジュールすべきかどうかを、マクロセルがサブフレームｔ＋４において受信されたデータ送信を復号するまでわからないことがある。サブフレームｔ＋１２における再送信のためにマクロセルを事前スケジュールするには不十分な時間があり得る。
【００６７】
ＭＵＥの再送信は、アップリンクＣｏＭＰをサポートする様々な方法で処理され得る。１つの設計では、ＭＵＥの再送信は、アップリンクＣｏＭＰに使用されていないアップリンクリソース上にスケジュールされ得る。この場合、ＭＵＥの再送信は、ピコセルに対して高アップリンク干渉をもたらすことはなく、ＭＵＥの事前スケジューリングは省略され得る。別の設計では、各再送信のためのＭＵＥの事前スケジューリングを可能にするために、より長いＨＡＲＱタイムラインがＭＵＥに使用され得る。たとえば、１６ｍｓのＨＡＲＱタイムラインがＭＵＥに使用されてよく、奇数番号の再送信１、３、５などが中止されてよく、偶数番号の再送信がＭＵＥのために事前スケジュールされてよい。各再送信に関するアップリンクスケジューリング情報がピコセルに送られ得る。たとえば、図６では、サブフレームｔ＋４におけるデータ送信が間違って復号された場合、マクロセルは、サブフレームｔ＋２０におけるデータ送信のためにＭＵＥを事前スケジュールしてよく、ＭＵＥに関するアップリンクスケジューリング情報をピコセルに送ることができる。ＨＡＲＱタイムラインを拡張することで、アップリンクＣｏＭＰをサポートするために事前スケジュールするのに十分な時間があるようにすることができる。
【００６８】
ＭＵＥはＳＲＳを送信することができ、このＳＲＳは上述したように、マクロセルによってチャネル推定および信号品質測定に、またピコセルによって干渉推定に使用され得る。各ＭＵＥは、たとえば、マクロセルにおいて所望の範囲内にＳＩＮＲまたはＳＲＳの受信電力を維持するために、マクロセルによって制御され得る送信電力レベルでＳＲＳを送信することができる。マクロセルによるＳＲＳの送信電力レベルの変更は、ピコセルによるＳＲＳに基づく干渉推定に影響を与え得る。マクロセルは、各ＭＵＥのＳＲＳの送信電力レベルを伝える情報および／またはピコセルがＳＲＳをモニタし、ピコセルにおける関連する干渉を決定するのに有用な他の情報をピコセルに送ることができる。
【００６９】
別の設計では、アップリンクＣｏＭＰのために近隣セルによる干渉推定をサポートするのに基準信号が使用されることがあり、この基準信号はＣｏＭＰ  ＳＲＳと呼ばれることがある。ＵＥは、近隣セルによるチャネル推定および／または干渉推定を支援するために、ＣｏＭＰ  ＳＲＳを周期的または非周期的に送信するように構成され得る。ＵＥは、ＵＥに固有のＣｏＭＰ  ＳＲＳ構成を割り当てられ得る。ＣｏＭＰ  ＳＲＳ構成は、ＳＲＳ構成と同様に、上位レイヤシグナリング（たとえば、ＲＲＣ）を介してＵＥに伝えられ得る。ＵＥは、サービングセルによってチャネル推定および信号品質測定に使用されるＳＲＳに加えてＣｏＭＰ  ＳＲＳを送信することができる。ただし、ＣｏＭＰ  ＳＲＳおよびＳＲＳが同じリソース上で送信されないように、ＵＥのＣｏＭＰ  ＳＲＳ構成およびＳＲＳ構成は競合すべきではない。１つの設計では、ＣｏＭＰ  ＳＲＳの送信電力レベルは、１つまたは複数の近隣セルにおけるＣｏＭＰ  ＳＲＳの受信電力またはＳＩＮＲに基づいて変化し得る。近隣セルは、ＵＥからのＣｏＭＰ  ＳＲＳの受信電力またはＳＩＮＲを測定することができ、受信電力またはＳＩＮＲをサービングセルに報告することができる。サービングセルは、近隣セルにおける報告された受信電力またはＳＩＮＲに基づいて、ＣｏＭＰ  ＳＲＳの送信電力レベルを調整することができる。
【００７０】
図７は、アップリンクＣｏＭＰをサポートするためのプロセス７００の設計を示す。プロセス７００は、アップリンクＣｏＭＰのために第１のセル（たとえば、マクロセル）と協調する第２のセル（たとえば、ピコセル）によって実行され得る。
【００７１】
第１のセルと通信し、第２のセルに対して高アップリンク干渉をもたらす能力を有する少なくとも１つの第１のＵＥ（たとえば、ＭＵＥ）を、第２のセルは識別することができる（ブロック７１２）。第２のセルは、第２のセルにおける少なくとも１つの第１のＵＥからのアップリンク干渉を推定することができる（ブロック７１４）。第２のセルは、特定のリソース上のアップリンク干渉を推定することができる。たとえば、第２のセルは、（ｉ）（たとえば、第１のセルによって提供された事前スケジューリング情報を使用して）第１のセルに対するデータ送信のために少なくとも１つの第１のＵＥに割り当てられたリソースを決定し、（ｉｉ）少なくとも１つの第１のＵＥに割り当てられたリソース上における少なくとも１つの第１のＵＥからのアップリンク干渉を推定することができる。第２のセルは、少なくとも１つの第１のＵＥからの推定アップリンク干渉に基づいて、第２のセルに対するアップリンクデータ送信のために少なくとも１つの第２のＵＥ（たとえば、ＰＵＥ）をスケジュールすることができる（ブロック７１６）。
【００７２】
１つの設計では、第１のセルと通信し、第２のセルに対して高干渉をもたらす能力を有する第１のＵＥを、第２のセルは発見し得る。第２のセルは最初に、第１のセルと通信する複数の第１のＵＥを決定することができる。たとえば、第２のセルは、複数の第１のＵＥに関する基準信号構成を受信し得る。第２のセルは、複数の第１のＵＥの各々からの基準信号に起因する干渉を、各第１のＵＥに関する基準信号構成に基づいて推定することができる。第２のセルは、推定干渉がしきい値を超える、複数の第１のＵＥにおける１つまたは複数の第１のＵＥを決定することができる。第２のセルは、１つまたは複数の第１のＵＥを第１のセルに報告することができる。第１のセルは、１つまたは複数のＵＥのうちのいずれか１つがアップリンク上でのデータ送信のためにスケジュールされたときはいつでも、第２のセルに知らせることができる。少なくとも１つの第１のＵＥは、１つまたは複数の第１のＵＥの中にあり得る。
【００７３】
ブロック７１２の１つの設計では、第２のセルは、第１のセルに対するデータ送信のために少なくとも１つの第１のＵＥがスケジュールされていることを示すアップリンク事前スケジューリング情報を受信し得る。アップリンク事前スケジューリング情報は、少なくとも１つの第１のＵＥの各々の識別情報、少なくとも１つの第１のＵＥの各々に割り当てられたリソース、少なくとも１つの第１のＵＥの各々の送信電力に関係する情報など、および／またはそれらの組合せを備えることができる。第２のセルは、アップリンクスケジューリング情報に基づいて、少なくとも１つの第１のＵＥを識別することができる。
【００７４】
ブロック７１４の１つの設計では、第２のセルは、少なくとも１つの第１のＵＥの各々からの基準信号に起因する干渉を決定することができる。次いで第２のセルは、少なくとも１つの第１のＵＥの各々からのアップリンクデータ送信に起因する干渉を、（ｉ）各第１のＵＥからの基準信号に起因する干渉、ならびに（ｉｉ）たとえば式（２）および（３）に示すような、各第１のＵＥの送信電力に関係する情報に基づいて推定することができる。
【００７５】
ブロック７１６の１つの設計では、第２のセルは、ＵＥ選択を実行することができ、少なくとも１つの第１のＵＥからの推定干渉に基づいて、複数の第２のＵＥの間から少なくとも１つの第２のＵＥを選択することができる。第２のセルは、各第２のＵＥと第２のセルとの間のパスロスにさらに基づいて、少なくとも１つの第２のＵＥを選択することができる。追加または代替として、第２のセルは、リンク適応を実行することができ、少なくとも１つの第１のＵＥからの推定干渉に基づいて、少なくとも１つの第２のＵＥのために少なくとも１つの変調およびコーディングスキームを選択することができる。第２のセルは、少なくとも１つの第１のＵＥからの高干渉を考慮する他の方法により、少なくとも１つの第２のＵＥをスケジュールしてもよい。
【００７６】
１つの設計では、第１のセルと通信し、第２のセルに対して高干渉をもたらす能力を有する第１のＵＥのセットのために予約されたリソースを示す情報を、第２のセルは受信し得る。１つの設計では、ＨＡＲＱに関して、少なくとも１つの第１のＵＥからのデータの最初の送信が予約済みリソース上にスケジュールされることがあり、少なくとも１つの第１のＵＥからのデータの再送信が予約済みリソース上にスケジュールされないことがある。この設計では、少なくとも１つの第１のＵＥからのデータの再送信の事前スケジューリングは省略され得る。別の設計では、少なくとも１つの第１のＵＥからのデータの送信および再送信は、第１のＨＡＲＱタイムラインに基づいてスケジュールされてよく、少なくとも１つの第２のＵＥからのデータの送信および再送信は、第１のＨＡＲＱタイムラインよりも短いことがある第２のＨＡＲＱタイムラインに基づいてスケジュールされてよい。この設計は、少なくとも１つの第１のＵＥからのデータの送信と再送信の両方を事前スケジュールするための十分な時間を確保することができる。
【００７７】
１つの設計では、各第１のＵＥからの基準信号は、第１のセルによってチャネル推定または信号品質測定などに使用されるＳＲＳを備え得る。基準信号はまた、他のタイプの基準信号を備え得る。１つの設計では、各第１のＵＥからの基準信号は、第１のセルによる基準信号の測定に基づいて調整され得る送信電力レベルに関連付けられ得る。別の設計では、基準信号（たとえば、ＣｏＭＰ  ＳＲＳ）の送信電力レベルは、第２のセルによる基準信号の測定に基づいて調整され得る。
【００７８】
図８は、アップリンクＣｏＭＰをサポートするためのプロセス８００の設計を示す。プロセス８００は、アップリンクＣｏＭＰのために第２のセル（たとえば、ピコセル）と協調する第１のセル（たとえば、マクロセル）によって実行され得る。
【００７９】
第１のセルと通信し、第２のセルに対して高アップリンク干渉をもたらす能力を有する少なくとも１つの第１のＵＥ（たとえば、ＭＵＥ）を、第１のセルは識別することができる（ブロック８１２）。第１のセルは、第１のセルに対するデータ送信のために少なくとも１つの第１のＵＥを事前スケジュールすることができる（ブロック８１４）。第１のセルは、第２のセルが少なくとも１つの第１のＵＥからの高アップリンク干渉を緩和するのを促進するために、少なくとも１つの第１のＵＥに関するアップリンク事前スケジューリング情報を第２のセルに送ることができる（ブロック８１６）。
【００８０】
１つの設計では、第１のセルと通信し、第２のセルに対して高アップリンク干渉をもたらす能力を有する第１のＵＥを、第２のセルは発見し得る。第１のセルは第２のセルに対し、第１のセルと通信する複数の第１のＵＥに関する基準信号構成を送ることができる。第２のセルは基準信号構成を使用して、第２のセルにおける複数の第１のＵＥからの干渉を決定することができる。第１のセルと通信し、第２のセルに対して高アップリンク干渉をもたらす能力を有する１つまたは複数の第１のＵＥを示す情報を、第１のセルは第２のセルから受信し得る。第１のセルは、１つまたは複数の第１のＵＥを、第２のセルのために維持される第１のＵＥのセットに含めることができる。第１のセルは、このセットにある第１のＵＥの事前スケジューリングを実行することができ、事前スケジュールされた第１のＵＥに関するアップリンク事前スケジューリング情報を第２のセルに送ることができる。
【００８１】
１つの設計では、第１のセルと通信し、第２のセルに対して高干渉をもたらす能力を有する第１のＵＥのセットのために予約されたリソースを示す情報を、第１のセルは第２のセルに送り得る。１つの設計では、ＨＡＲＱに関して、第１のセルは、少なくとも１つの第１のＵＥからのデータの最初の送信を、予約済みリソース上にスケジュールすることがあり、少なくとも１つの第１のＵＥからのデータの再送信を、予約済みリソース以外のリソース上にスケジュールすることがある。別の設計では、第１のセルは、少なくとも１つの第１のＵＥからのデータの送信および再送信を、第１のＨＡＲＱタイムラインに基づいてスケジュールすることができる。第２のセルは、少なくとも１つの第２のＵＥからのデータの送信および再送信を、第１のＨＡＲＱタイムラインよりも短いことがある第２のＨＡＲＱタイムラインに基づいてスケジュールすることができる。
【００８２】
図９は、アップリンクＣｏＭＰによるデータ送信のためのプロセス９００の設計を示す。プロセス９００は、アップリンクＣｏＭＰにより第１のセル（たとえば、ピコセル）と通信する第１のＵＥ（たとえば、ＰＵＥ）によって実行され得る。第１のＵＥは、スケジューリング割当てを第１のセルから受信し得る（ブロック９１２）。スケジューリング割当ては第１のセルによって、第１のセルにおける少なくとも１つの第２のＵＥ（たとえば、ＭＵＥ）からの推定干渉に基づいて決定され得る。少なくとも１つの第２のＵＥは、第２のセル（たとえば、マクロセル）と通信することがあり、第１のセルに対して高アップリンク干渉をもたらすことがある。第１のセルは、第２のセルに対するデータ送信のために少なくとも１つの第２のＵＥに割り当てられたリソース上における、少なくとも１つの第２のＵＥからの干渉を推定することができる。第１のセルは、少なくとも１つの第２のＵＥに割り当てられたリソース上における、少なくとも１つの第２のＵＥからの推定干渉に基づいて、第１のＵＥをスケジュールすることができる。第１のＵＥは、スケジューリング割当てに基づいて第１のセルにデータ送信を送り得る（ブロック９１４）。
【００８３】
上記では、ＭＵＥによるＳＲＳ送信の使用に関して例を提示したが、本明細書における概念はそのような信号の使用に限定されないことを諒解されたい。本明細書における実施形態は、高アップリンク干渉をもたらす能力を有するＭＵＥを識別するための任意の適切なＭＵＥ送信、たとえば、チャネル品質情報（ＣＱＩ）送信、復調基準信号（ＤＭＲＳ）送信、物理アップリンク制御チャネル（ＰＵＣＣＨ）送信、または（たとえば、ピコセルが識別しマッチさせることができる一定のパターンを有する形で生じるように構成された）他の予測可能な信号を利用することができる。
【００８４】
図１０は、図１の基地局／ｅＮＢのうちの１つであり得る基地局／ｅＮＢ１１０ｘおよび図１のＵＥのうちの１つであり得るＵＥ１２０ｘの設計のブロック図を示す。基地局１１０ｘは、１つまたは複数のセルにサービスし得、Ｔ個のアンテナ１０３４ａ〜１０３４ｔを装備し得、一般にＴ≧１である。ＵＥ１２０ｘは、Ｒ個のアンテナ１０５２ａ〜１０５２ｒを装備し得、一般にＲ≧１である。
【００８５】
基地局１１０ｘにおいて、送信プロセッサ１０２０は、ダウンリンク上でのデータ送信のためにスケジュールされた１つまたは複数のＵＥに関するデータをデータソース１０１２から受信し、そのＵＥのために選択された１つまたは複数の変調およびコーディングスキームに基づいて、スケジュールされた各ＵＥに関するデータを処理（たとえば、符号化および変調）し、すべてのＵＥのデータシンボルを提供することができる。送信プロセッサ１０２０は、（たとえば、スケジューリング許可、構成メッセージなどに関する）制御情報を処理し、制御シンボルを提供することもできる。プロセッサ１０２０はまた、基準信号のための基準シンボルを生成し得る。送信（ＴＸ）ＭＩＭＯプロセッサ１０３０は、（適用可能な場合は）データシンボル、制御シンボル、および／または基準シンボルをプリコードし得、Ｔ個の出力シンボルストリームをＴ個の変調器（ＭＯＤ）１０３２ａ〜１０３２ｔに提供し得る。各変調器１０３２は、（たとえば、ＯＦＤＭなどのために）その出力シンボルストリームを処理して出力サンプルストリームを取得し得る。各変調器１０３２はさらに、その出力サンプルストリームを調整（たとえば、アナログへの変換、増幅、フィルタ処理、およびアップコンバート）してダウンリンク信号を取得し得る。変調器１０３２ａ〜１０３２ｔからのＴ個のダウンリンク信号は、それぞれＴ個のアンテナ１０３４ａ〜１０３４ｔを介して送信され得る。
【００８６】
ＵＥ１２０ｘにおいて、アンテナ１０５２ａ〜１０５２ｒは、基地局１１０ｘおよび／または他の基地局からダウンリンク信号を受信し得、受信信号をそれぞれ復調器（ＤＥＭＯＤ）１０５４ａ〜１０５４ｒに提供し得る。各復調器１０５４は、その受信信号を調整（たとえば、フィルタ処理、増幅、ダウンコンバート、およびデジタル化）して、入力サンプルを取得し得る。各復調器１０５４はさらに、（たとえば、ＯＦＤＭなどのために）入力サンプルを処理して受信シンボルを取得し得る。ＭＩＭＯ検出器１０５６は、すべてのＲ個の復調器１０５４ａ〜１０５４ｒから受信シンボルを取得し、受信シンボルに対してＭＩＭＯ検出を実行し、検出シンボルを提供し得る。受信プロセッサ１０５８は、検出シンボルを処理（たとえば、復調および復号）し、ＵＥ１２０ｘに関する復号されたデータをデータシンク１０６０に提供し、復号された制御情報をコントローラ／プロセッサ１０８０に提供することができる。
【００８７】
アップリンクでは、ＵＥ１２０ｘにおいて、送信プロセッサ１０６４は、データソース１０６２からデータを、コントローラ／プロセッサ１０８０から制御情報を受信し処理することができる。プロセッサ１０６４はまた、ＳＲＳ、ＣｏＭＰ  ＳＲＳなどのような１つまたは複数の基準信号などのための基準シンボルを生成することもできる。送信プロセッサ１０６４からのシンボルは、適用可能な場合はＴＸ  ＭＩＭＯプロセッサ１０６６によってプリコードされ、さらに（たとえば、ＳＣ−ＦＤＭ、ＯＦＤＭなどのために）変調器１０５４ａ〜１０５４ｒによって処理され、基地局１１０ｘおよび他の基地局に送信され得る。基地局１１０ｘにおいて、ＵＥ１２０ｘおよび他のＵＥからのアップリンク信号は、アンテナ１０３４によって受信され、復調器１０３２によって処理され、適用可能な場合はＭＩＭＯ検出器１０３６によって検出され、さらに、ＵＥ１２０ｘおよび他のＵＥによって送られた、復号されたデータおよび制御情報を取得するために、受信プロセッサ１０３８によって処理され得る。プロセッサ１０３８は、復号されたデータをデータシンク１０３９に与え、復号された制御情報をコントローラ／プロセッサ１０４０に提供し得る。チャネルプロセッサ１０４４は、基地局１１０ｘによってサービスされていないＵＥからの干渉を推定することができ、基地局１１０ｘによってサービスされているＵＥの受信信号品質を、たとえば、これらのＵＥから受信されたＳＲＳおよび／またはＣｏＭＰ  ＳＲＳに基づいて測定することができる。
【００８８】
コントローラ／プロセッサ１０４０および１０８０は、それぞれ基地局１１０ｘおよびＵＥ１２０ｘにおける動作を指示し得る。基地局１１０ｘにおけるプロセッサ１０４０および／または他のプロセッサおよびモジュールは、図７のプロセス７００、図８のプロセス８００、および／または本明細書で説明する技法のための他のプロセスを実行または指示し得る。ＵＥ１２０ｘにおけるプロセッサ１０８０および／または他のプロセッサおよびモジュールは、図９のプロセス９００、および／または本明細書で説明する技法のための他のプロセスを実行または指示し得る。メモリ１０４２および１０８２は、それぞれ基地局１１０ｘおよびＵＥ１２０ｘのためのデータとプログラムコードとを記憶し得る。スケジューラ１０４０は、ダウンリンク上および／またはアップリンク上でのデータ送信のためにＵＥをスケジュールし得る。
【００８９】
一構成では、ワイヤレス通信のための装置１１０ｘは、第１のセルと通信し、第２のセルに対して高干渉をもたらす少なくとも１つの第１のＵＥを識別するための手段と、第２のセルにおける少なくとも１つの第１のＵＥからの干渉を推定するための手段と、第２のセルにおける少なくとも１つの第１のＵＥからの推定干渉に基づいて、第２のセルに対するデータ送信のために少なくとも１つの第２のＵＥをスケジュールするための手段とを含むことができる。
【００９０】
別の構成では、ワイヤレス通信のための装置１１０ｘは、第１のセルと通信し、第２のセルに対して高干渉をもたらす少なくとも１つの第１のＵＥを識別するための手段と、第１のセルに対するデータ送信のために少なくとも１つの第１のＵＥを事前スケジュールするための手段と、少なくとも１つの第１のＵＥに関するアップリンクスケジューリング情報を第２のセルに送るための手段とを含むことができる。
【００９１】
さらに別の構成では、ワイヤレス通信のための装置１２０ｘは、第１のＵＥへのスケジューリング割当てを第１のセルから受信するための手段と、ここで、スケジューリング割当ては、第１のセルによって、第１のセルにおける少なくとも１つの第２のＵＥからの推定干渉に基づいて決定され、少なくとも１つの第２のＵＥは、第２のセルと通信し、第１のセルに対して高干渉をもたらす、スケジューリング割当てに基づいて、第１のＵＥから第１のセルにデータ送信を送るための手段とを含むことができる。
【００９２】
一態様では、上述の手段は、上述の手段によって具陳された機能を実行するように構成され得る、基地局１１０ｘにおける（１つもしくは複数の）プロセッサ１０２０、１０３８および／もしくは１０４０、ならびに／またはＵＥ１２０ｘにおける（１つもしくは複数の）プロセッサ１０５８、１０６４および／もしくは１０８０であり得る。別の態様では、上述の手段は、上述の手段によって具陳された機能を実行するように構成された１つまたは複数のモジュールまたは任意の装置であり得る。
【００９３】
本明細書で説明する技法のさらなる詳細は、本開示の一部である添付の付録Ａ（Appendix A）で与えられる。
【００９４】
情報および信号は様々な異なる技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９５】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、決定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００９６】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行され得る。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装されてもよい。
【００９７】
本明細書の開示に関して説明する方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるように、プロセッサに結合される。代替として、記憶媒体はプロセッサに一体化することができる。プロセッサおよび記憶媒体はＡＳＩＣ中に存在し得る。ＡＳＩＣは、ユーザ端末内に存在し得る。代替として、プロセッサおよび記憶媒体は、ユーザ端末内に個別構成要素として存在し得る。
【００９８】
１つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、通常はディスク（ｄｉｓｋ）が磁気的にデータを再生し、一方、ディスク（ｄｉｓｃ）がレーザによって光学的にデータを再生する場合に、コンパクトディスク（ＣＤ）、レーザディスク、光ディスク、デジタル多用途ディスク（ＤＶＤ）、フロッピー（登録商標）ディスク、およびブルーレイ（登録商標）ディスクを含む。上記の組合せもコンピュータ可読媒体の範囲内に含めるべきである。
【００９９】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信のための方法であって、
第１のセルから、ユーザ機器（ＵＥ）パイロット情報を受信することと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
第２のセルが、前記ＵＥパイロット情報に含まれる情報を使用して、前記第１のＵＥグループの前記１つまたは複数のＵＥによるパイロット信号送信をモニタすることと、
前記モニタされたパイロット信号送信に少なくとも部分的に基づいて、前記第２のセルに対して高アップリンク干渉をもたらす能力を有する、前記第１のＵＥグループの前記１つまたは複数のＵＥのうちの少なくとも１つのＵＥを決定することと、
前記第１のセルから、前記第２のセルに対して高アップリンク干渉をもたらす能力を有する前記少なくとも１つのＵＥに関するアップリンク事前スケジューリング情報を受信することと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることと
を備える方法。
［Ｃ２］
前記第１のＵＥグループの前記１つまたは複数のＵＥによって前記モニタされたパイロット信号送信を使用して、前記第２のセルのアップリンクトラフィックリソース上の干渉を推定することをさらに備え、アップリンク通信のために前記第２のＵＥグループの１つまたは複数のＵＥを前記スケジュールすることは、前記推定アップリンクトラフィックリソース干渉に少なくとも部分的に基づく、
［Ｃ１］に記載の方法。
［Ｃ３］
前記第２のセルにおけるアップリンクトラフィックリソース干渉を前記推定することは、
前記モニタされたパイロット信号送信から推定される前記アップリンクトラフィックリソース上の干渉に基づいて、前記第１のＵＥグループの前記１つまたは複数のＵＥの各ＵＥからのデータ送信に起因する干渉を推定することを備える、
［Ｃ２］に記載の方法。
［Ｃ４］
前記第２のセルにおけるアップリンクトラフィックリソース干渉を前記推定することは、
データ送信に起因する前記干渉を推定するために、前記モニタされたパイロット信号送信の送信電力レベルと前記少なくとも１つのＵＥによる前記アップリンクトラフィックリソースにおけるデータ送信の送信電力レベルとの間の電力オフセットを使用することをさらに備える、
［Ｃ３］に記載の方法。
［Ｃ５］
前記第１のセルから、前記第１のＵＥグループの前記１つまたは複数のＵＥに関する送信電力レベル情報を受信することと、
前記送信電力レベル情報を使用して前記電力オフセットを決定することと
をさらに備える、［Ｃ４］に記載の方法。
［Ｃ６］
前記第２のセルとのアップリンク通信のために前記第２のＵＥグループの１つまたは複数のＵＥを前記スケジュールすることは、
前記第２のセルに対して高干渉をもたらすと推定される前記少なくとも１つのＵＥのうちのＵＥが前記高干渉をもたらすと予想されるリソースにおけるアップリンク通信のために、前記第２のＵＥグループの特定のＵＥを選択することを備え、前記第２のＵＥグループの前記特定のＵＥは、前記推定干渉に少なくとも部分的に基づいて選択される、
［Ｃ２］に記載の方法。
［Ｃ７］
前記第２のセルとのアップリンク通信のために前記第２のＵＥグループの１つまたは複数のＵＥを前記スケジュールすることは、
前記第２のセルと前記第２のＵＥグループの特定のＵＥとの間のアップリンクに関して変調およびコーディングスキームを選択することを備え、前記変調およびコーディングスキームは、前記推定干渉に少なくとも部分的に基づいて選択される、
［Ｃ２］に記載の方法。
［Ｃ８］
前記第２のセルとのアップリンク通信のために前記第２のＵＥグループの１つまたは複数のＵＥを前記スケジュールすることは、
前記第２のセルに対して高干渉をもたらすと推定される前記少なくとも１つのＵＥのうちのＵＥが前記高干渉をもたらすと予想されるリソースにおけるアップリンク通信のために、前記第２のＵＥグループの少なくとも１つのＵＥをスケジュールすることを回避することを備える、
［Ｃ２］に記載の方法。
［Ｃ９］
前記アップリンク事前スケジューリング情報は、前記第１のＵＥグループの前記１つまたは複数のＵＥの各ＵＥの識別情報を備え、前記識別情報は前記第２のセルによって、前記第２のセルに対して高干渉をもたらすと推定される前記少なくとも１つのＵＥを識別するために使用される、
［Ｃ１］に記載の方法。
［Ｃ１０］
前記アップリンク事前スケジューリング情報は、前記第２のセルに対して高干渉をもたらすと推定される前記少なくとも１つのＵＥの送信電力に関係する情報を備える、
［Ｃ１］に記載の方法。
［Ｃ１１］
前記第２のセルに対して高干渉をもたらすと推定される前記少なくとも１つのＵＥによる再送要求送信のためにアップリンクトラフィックリソースを予約することをさらに備え、前記予約済みアップリンクトラフィックリソースは前記第２のセルによって、前記第２のＵＥグループのＵＥに使用されることはない、
［Ｃ１］に記載の方法。
［Ｃ１２］
再送信のために前記第２のセルに対して高干渉をもたらすと推定される前記少なくとも１つのＵＥを事前スケジュールするために、拡張再送要求送信タイムラインを実装することをさらに備える、
［Ｃ１］に記載の方法。
［Ｃ１３］
ワイヤレス通信用に構成された装置であって、
第１のセルから、ユーザ機器（ＵＥ）パイロット情報を受信するための手段と、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
第２のセルが、前記ＵＥパイロット情報に含まれる情報を使用して、前記第１のＵＥグループの前記１つまたは複数のＵＥによるパイロット信号送信をモニタするための手段と、
前記モニタされたパイロット信号送信に少なくとも部分的に基づいて、前記第２のセルに対して高アップリンク干渉をもたらす能力を有する、前記第１のＵＥグループの前記１つまたは複数のＵＥのうちの少なくとも１つのＵＥを決定するための手段と、
前記第１のセルから、前記第２のセルに対して高アップリンク干渉をもたらす能力を有する前記少なくとも１つのＵＥに関するアップリンク事前スケジューリング情報を受信するための手段と、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールするための手段と
を備える装置。
［Ｃ１４］
ワイヤレスネットワークにおけるワイヤレス通信のためのコンピュータプログラム製品であって、
プログラムコードを記録した非一時的コンピュータ可読媒体を備え、前記プログラムコードは、
第１のセルから、ユーザ機器（ＵＥ）パイロット情報を受信するためのプログラムコードと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
第２のセルが、前記ＵＥパイロット情報に含まれる情報を使用して、前記第１のＵＥグループの前記１つまたは複数のＵＥによるパイロット信号送信をモニタするためのプログラムコードと、
前記モニタされたパイロット信号送信に少なくとも部分的に基づいて、前記第２のセルに対して高アップリンク干渉をもたらす能力を有する、前記第１のＵＥグループの前記１つまたは複数のＵＥのうちの少なくとも１つのＵＥを決定するためのプログラムコードと、
前記第１のセルから、前記第２のセルに対して高アップリンク干渉をもたらす能力を有する前記少なくとも１つのＵＥに関するアップリンク事前スケジューリング情報を受信するためのプログラムコードと、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルによって、前記受信されたアップリンク事前スケジューリング情報に少なくとも部分的に基づいて、前記第２のセルとのアップリンク通信のために第２のＵＥグループの１つまたは複数のＵＥをスケジュールするためのプログラムコードと
を含む、コンピュータプログラム製品。
［Ｃ１５］
ワイヤレス通信用に構成された装置であって、
少なくとも１つのプロセッサと、
前記少なくとも１つのプロセッサに結合されたメモリと
を備え、前記少なくとも１つのプロセッサは、
第１のセルから、ユーザ機器（ＵＥ）パイロット情報を受信することと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
第２のセルが、前記ＵＥパイロット情報に含まれる情報を使用して、前記第１のＵＥグループの前記１つまたは複数のＵＥによるパイロット信号送信をモニタすることと、
前記モニタされたパイロット信号送信に少なくとも部分的に基づいて、前記第２のセルに対して高アップリンク干渉をもたらす能力を有する、前記第１のＵＥグループの前記１つまたは複数のＵＥのうちの少なくとも１つのＵＥを決定することと、
前記第１のセルから、前記第２のセルに対して高アップリンク干渉をもたらす能力を有する前記少なくとも１つのＵＥに関するアップリンク事前スケジューリング情報を受信することと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることと
を行うように構成される、
装置。
［Ｃ１６］
前記少なくとも１つのプロセッサは、
前記第１のＵＥグループの前記１つまたは複数のＵＥによる前記モニタされたパイロット信号送信を使用して、前記第２のセルのアップリンクトラフィックリソース上の干渉を推定することを行うようにさらに構成され、前記第２のＵＥグループの前記１つまたは複数のＵＥは、前記推定アップリンクトラフィックリソース干渉に少なくとも部分的に基づいて、アップリンク通信のためにスケジュールされる、
［Ｃ１５］に記載の装置。
［Ｃ１７］
前記少なくとも１つのプロセッサは、
前記モニタされたパイロット信号送信から推定される前記アップリンクトラフィックリソース上の干渉に基づいて、前記第１のＵＥグループの前記１つまたは複数のＵＥの各ＵＥからのデータ送信に起因する干渉を推定すること
を行うように構成されることによって、アップリンクトラフィックリソース上の干渉を推定することを行うように構成される、
［Ｃ１６］に記載の装置。
［Ｃ１８］
前記少なくとも１つのプロセッサは、
データ送信に起因する前記干渉を推定するために、前記モニタされたパイロット信号送信の送信電力レベルと前記少なくとも１つのＵＥによる前記アップリンクトラフィックリソースにおけるデータ送信の送信電力レベルとの間の電力オフセットを使用すること
を行うように構成されることによって、アップリンクトラフィックリソース上の干渉を推定することを行うようにさらに構成される、
［Ｃ１７］に記載の装置。
［Ｃ１９］
前記少なくとも１つのプロセッサは、
前記第１のセルが、前記第１のＵＥグループの前記１つまたは複数のＵＥに関する送信電力レベル情報を受信することと、
前記送信電力レベル情報を使用して前記電力オフセットを決定することと
を行うようにさらに構成される、［Ｃ１８］に記載の装置。
［Ｃ２０］
前記少なくとも１つのプロセッサは、
前記第２のセルに対して高干渉をもたらすと推定される前記少なくとも１つのＵＥのうちのＵＥが前記高干渉をもたらすと予想されるリソースにおけるアップリンク通信のために、前記第２のＵＥグループの特定のＵＥを選択することと、ここで、前記第２のＵＥグループの前記特定のＵＥは、前記推定干渉に少なくとも部分的に基づいて選択される、
を行うように構成されることによって、前記第２のセルとのアップリンク通信のために前記第２のＵＥグループの１つまたは複数のＵＥをスケジュールすることを行うように構成される、
［Ｃ１６］に記載の装置。
［Ｃ２１］
前記少なくとも１つのプロセッサは、
前記第２のセルと前記第２のＵＥグループの特定のＵＥとの間のアップリンクに関して変調およびコーディングスキームを選択すること
を行うように構成されることによって、前記第２のセルとのアップリンク通信のために前記第２のＵＥグループの１つまたは複数のＵＥをスケジュールすることを行うように構成され、
前記変調およびコーディングスキームは、前記推定干渉に少なくとも部分的に基づいて選択される、
［Ｃ１６］に記載の装置。
［Ｃ２２］
前記少なくとも１つのプロセッサは、
前記第２のセルに対して高干渉をもたらすと推定される前記少なくとも１つのＵＥのうちのＵＥが前記高干渉をもたらすと予想されるリソースにおけるアップリンク通信のために、前記第２のＵＥグループの少なくとも１つのＵＥをスケジュールすることを回避すること
を行うように構成されることによって、前記第２のセルとのアップリンク通信のために前記第２のＵＥグループの１つまたは複数のＵＥをスケジュールすることを行うように構成される、
［Ｃ１６］に記載の装置。
［Ｃ２３］
前記アップリンク事前スケジューリング情報は、前記第１のＵＥグループの前記１つまたは複数のＵＥの各ＵＥの識別情報を備え、前記識別情報は前記第２のセルによって、前記第２のセルに対して高干渉をもたらすと推定される前記少なくとも１つのＵＥを識別するために使用される、
［Ｃ１５］に記載の装置。
［Ｃ２４］
前記アップリンク事前スケジューリング情報は、前記第２のセルに対して高干渉をもたらすと推定される前記少なくとも１つのＵＥの送信電力に関係する情報を備える、
［Ｃ１５］に記載の装置。
［Ｃ２５］
前記少なくとも１つのプロセッサは、
前記第２のセルに対して高干渉をもたらすと推定される前記少なくとも１つのＵＥによる再送要求送信のためにアップリンクトラフィックリソースを予約することを行うようにさらに構成され、前記予約済みアップリンクトラフィックリソースは前記第２のセルによって、前記第２のＵＥグループのＵＥに使用されることはない、
［Ｃ１５］に記載の装置。
［Ｃ２６］
前記少なくとも１つのプロセッサは、
再送信のために前記第２のセルに対して高干渉をもたらすと推定される前記少なくとも１つのＵＥを事前スケジュールするために、拡張再送要求送信タイムラインを実装することを行うようにさらに構成される、
［Ｃ１５］に記載の装置。
［Ｃ２７］
ワイヤレス通信のための方法であって、
バックホール通信リンクを使用して第２のセルに対して第１のセルが、ユーザ機器（ＵＥ）パイロット情報を送信することと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
前記第２のセルに対して高アップリンク干渉をもたらす能力を有する、前記第１のＵＥグループの前記１つまたは複数のＵＥのうちの少なくとも１つのＵＥを決定することと、
前記第１のセルが、前記第１のセルとのアップリンク通信のために第１のＵＥグループのＵＥをスケジュールすることと、
前記第１のセルから前記バックホール通信リンクを使用して前記第２のセルに対し、高アップリンク干渉をもたらす能力を有する前記少なくとも１つのＵＥの前記スケジューリングに関する情報をアップリンク事前スケジューリング情報として送信することと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることに対応するために、前記アップリンク事前スケジューリング情報を送信した後の期間に前記第１のＵＥグループの前記ＵＥに前記アップリンクトラフィックリソース割当てを許可することと
を備える方法。
［Ｃ２８］
前記第１のセルから前記バックホール通信リンクを使用して前記第２のセルに対し、前記第１のＵＥグループの前記１つまたは複数のＵＥのパイロット信号送信およびアップリンクデータ送信に関する送信電力レベルオフセット情報を送信することをさらに備える、
［Ｃ２７］に記載の方法。
［Ｃ２９］
前記アップリンク事前スケジューリング情報は、前記第２のセルに対して高干渉をもたらすと推定される前記少なくとも１つのＵＥの送信電力に関係する情報を備える、
［Ｃ２７］に記載の方法。
［Ｃ３０］
前記第２のセルに対して高干渉をもたらすと推定される前記少なくとも１つのＵＥによる再送要求送信のためにアップリンクトラフィックリソースを予約することをさらに備え、前記予約済みアップリンクトラフィックリソースは前記第２のセルによって、前記第２のＵＥグループのＵＥに使用されることはない、
［Ｃ２７］に記載の方法。
［Ｃ３１］
再送信のために前記第２のセルに対して高干渉をもたらすと推定される前記少なくとも１つのＵＥを事前スケジュールするために、拡張再送要求送信タイムラインを実装することをさらに備える、
［Ｃ２７］に記載の方法。
［Ｃ３２］
ワイヤレス通信用に構成された装置であって、
バックホール通信リンクを使用して第２のセルに対して第１のセルが、ユーザ機器（ＵＥ）パイロット情報を送信するための手段と、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
前記第２のセルに対して高アップリンク干渉をもたらす能力を有する、前記第１のＵＥグループの前記１つまたは複数のＵＥのうちの少なくとも１つのＵＥを決定するための手段と、
前記第１のセルが、前記第１のセルとのアップリンク通信のために第１のＵＥグループのＵＥをスケジュールするための手段と、
前記第１のセルから前記バックホール通信リンクを使用して前記第２のセルに対し、高アップリンク干渉をもたらす能力を有する前記少なくとも１つのＵＥの前記スケジューリングに関する情報をアップリンク事前スケジューリング情報として送信するための手段と、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることに対応するために、前記アップリンク事前スケジューリング情報を送信した後の期間に前記第１のＵＥグループの前記ＵＥに前記アップリンクトラフィックリソース割当てを許可するための手段と
を備える装置。
［Ｃ３３］
ワイヤレスネットワークにおけるワイヤレス通信のためのコンピュータプログラム製品であって、
プログラムコードを記録した非一時的コンピュータ可読媒体を備え、前記プログラムコードは、
バックホール通信リンクを使用して第２のセルに対して第１のセルが、ユーザ機器（ＵＥ）パイロット情報を送信するためのプログラムコードと、ここで、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
前記第２のセルに対して高アップリンク干渉をもたらす能力を有する、前記第１のＵＥグループの前記１つまたは複数のＵＥのうちの少なくとも１つのＵＥを決定するためのプログラムコードと、
前記第１のセルが、前記第１のセルとのアップリンク通信のために第１のＵＥグループのＵＥをスケジュールするためのプログラムコードと、
前記第１のセルから前記バックホール通信リンクを使用して前記第２のセルに対し、高アップリンク干渉をもたらす能力を有する前記少なくとも１つのＵＥの前記スケジューリングに関する情報をアップリンク事前スケジューリング情報として送信するためのプログラムコードと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることに対応するために、前記アップリンク事前スケジューリング情報を送信した後の期間に前記第１のＵＥグループの前記ＵＥに前記アップリンクトラフィックリソース割当てを許可するためのプログラムコードと
を含む、コンピュータプログラム製品。
［Ｃ３４］
ワイヤレス通信用に構成された装置であって、
少なくとも１つのプロセッサと、
前記少なくとも１つのプロセッサに結合されたメモリと
を備え、前記少なくとも１つのプロセッサは、
バックホール通信リンクを使用して第２のセルに対して第１のセルが、ユーザ機器（ＵＥ）パイロット情報を送信することと、前記ＵＥパイロット情報は、第１のＵＥグループの１つまたは複数のＵＥによるパイロット信号送信に関する情報を含み、前記第１のＵＥグループの前記１つまたは複数のＵＥは、前記第１のセルと通信状態にある、
前記第２のセルに対して高アップリンク干渉をもたらす能力を有する、前記第１のＵＥグループの前記１つまたは複数のＵＥのうちの少なくとも１つのＵＥを決定することと、
前記第１のセルによって、前記第１のセルとのアップリンク通信のために第１のＵＥグループのＵＥをスケジュールすることと、
前記第１のセルから前記バックホール通信リンクを使用して前記第２のセルに対し、高アップリンク干渉をもたらす能力を有する前記少なくとも１つのＵＥの前記スケジューリングに関する情報をアップリンク事前スケジューリング情報として送信することと、ここで、前記アップリンク事前スケジューリング情報は、前記第２のセルに対して高アップリンク干渉をもたらす能力を有する前記少なくとも１つのＵＥに実際のアップリンクトラフィックリソース割当て許可が付与される前の、前記第２のセルに対して高アップリンク干渉をもたらす能力を有する前記少なくとも１つのＵＥへのアップリンクトラフィックリソース割当てに関する情報を備える、
前記第２のセルが、前記受信されたアップリンク事前スケジューリング情報に少なくとも部分的に基づいて、前記第２のセルとのアップリンク通信のために第２のＵＥグループの１つまたは複数のＵＥをスケジュールすることに対応するために、前記アップリンク事前スケジューリング情報を送信した後の期間に前記第１のＵＥグループの前記ＵＥに前記アップリンクトラフィックリソース割当てを許可することと
を行うように構成される、
装置。
［Ｃ３５］
前記少なくとも１つのプロセッサは、
前記第１のセルから前記バックホール通信リンクを使用して前記第２のセルに対し、前記第１のＵＥグループの前記１つまたは複数のＵＥのパイロット信号送信およびアップリンクデータ送信に関する送信電力レベルオフセット情報を送信することを行うようにさらに構成される、
［Ｃ３４］に記載の装置。
［Ｃ３６］
前記アップリンク事前スケジューリング情報は、前記第２のセルに対して高干渉をもたらすと推定される前記少なくとも１つのＵＥの送信電力に関係する情報を備える、
［Ｃ３４］に記載の装置。
［Ｃ３７］
前記少なくとも１つのプロセッサは、
前記第２のセルに対して高干渉をもたらすと推定される前記少なくとも１つのＵＥによる再送要求送信のためにアップリンクトラフィックリソースを予約することを行うようにさらに構成され、前記予約済みアップリンクトラフィックリソースは、前記第２のセルによって、前記第２のＵＥグループのＵＥに使用されることはない、
［Ｃ３４］に記載の装置。
［Ｃ３８］
前記少なくとも１つのプロセッサは、
再送信のために前記第２のセルに対して高干渉をもたらすと推定される前記少なくとも１つのＵＥを事前スケジュールするために、拡張再送要求送信タイムラインを実装することを行うようにさらに構成される、
［Ｃ３４］に記載の装置。
【図１】
0005852258.tif 000004
【図２】
0005852258.tif 000005
【図３】
0005852258.tif 000006
【図４Ａ】
0005852258.tif 000007
【図４Ｂ】
0005852258.tif 000008
【図５】
0005852258.tif 000009
【図６】
0005852258.tif 000010
【図７】
0005852258.tif 000011
【図８】
0005852258.tif 000012
【図９】
0005852258.tif 000013
【図１０】
0005852258.tif 000014